(57)【特許請求の範囲】
【請求項１】
チャネル品質のロスを経験した少なくとも１つのコンポーネント・キャリアを、複数のコンポーネント・キャリアから識別することと、
前記少なくとも１つのコンポーネント・キャリア上の前記チャネル品質のロスについて基地局に通知することと、
前記基地局へスケジューリング要求を送信することと
を備え、前記スケジューリング要求は、制御情報を送信するために前記複数のコンポーネント・キャリアからの特定のアンカー・コンポーネント・キャリアを使用するという前記基地局への表示を含み、前記基地局に通知することは、レイヤ３シグナリングによってキャリア品質情報を送信することを備える、方法。
【請求項２】
チャネル品質のロスを経験した前記少なくとも１つのコンポーネント・キャリアは、アンカー・キャリアである、
請求項１に記載の方法。
【請求項３】
前記表示は、前記制御情報の第１の送信のために使用された第１のアンカー・コンポーネント・キャリアとは異なる第２のアンカー・コンポーネント・キャリア上で前記制御情報を再送信するとのフラグを含む、
請求項１記載の方法。
【請求項４】
前記表示は、アンカー・コンポーネント・キャリアとアップリンク・コンポーネント・キャリアとの間の暗黙のマッピングが使用されるべきであることを示すフラグを含む、請求項１に記載の方法。
【請求項５】
スケジューリング要求をアップリンク・コンポーネント・キャリア上で前記基地局へ送信することをさらに備え、前記アップリンク・コンポーネント・キャリアのアイデンティティは、前記複数のコンポーネント・キャリアからの使用されるべき特定のアンカー・コンポーネント・キャリアを、前記基地局へ示す、
請求項１に記載の方法。
【請求項６】
無線通信装置であって、
チャネル品質のロスを経験したコンポーネント・キャリアを、複数のコンポーネント・キャリアから識別し、
レイヤ３シグナリングによってキャリア品質情報を送信することにより、前記コンポーネント・キャリア上の前記チャネル品質のロスについて基地局に通知し、
前記基地局へスケジューリング要求を送信する
ように構成された少なくとも１つのプロセッサ
を備え、前記スケジューリング要求は、制御情報を前記無線通信装置へ送信するために前記複数のコンポーネント・キャリアからの特定のアンカー・コンポーネント・キャリアを使用するという前記基地局への表示を含む、無線通信装置。
【請求項７】
前記コンポーネント・キャリアは、アンカー・キャリアである、
請求項６に記載の無線通信装置。
【請求項８】
前記表示は、前記制御情報の第１の送信のために使用された第１のアンカー・コンポーネント・キャリアとは異なる第２のアンカー・コンポーネント・キャリア上で前記制御情報を再送信するとのフラグを含む、
請求項６に記載の無線通信装置。
【請求項９】
前記表示は、アンカー・コンポーネント・キャリアとアップリンク・コンポーネント・キャリアとの間の暗黙のマッピングが使用されるべきであることを示すフラグを含む、請求項６記載の無線通信装置。
【請求項１０】
装置であって、
チャネル品質のロスを経験したコンポーネント・キャリアを、複数のコンポーネント・キャリアから識別するための手段と、
レイヤ３シグナリングによってキャリア品質情報を送信することにより、前記コンポーネント・キャリア上の前記チャネル品質のロスについて基地局に通知するための手段と、
前記基地局へスケジューリング要求を送信するための手段と
を備え、前記スケジューリング要求は、制御情報を前記装置へ送信するために前記複数のコンポーネント・キャリアからの特定のアンカー・コンポーネント・キャリアを使用するという前記基地局への表示を含む、装置。
【請求項１１】
前記スケジューリング要求は、制御情報の第１の送信のために使用された第１のアンカー・コンポーネント・キャリアとは異なる第２のアンカー・コンポーネント・キャリア上で前記制御情報を再送信するという表示を含む、
請求項１０に記載の装置。
【請求項１２】
前記スケジューリング要求は、アンカー・コンポーネント・キャリアとアップリンク・コンポーネント・キャリアとの間の暗黙のマッピングが使用されるべきであることを示すフラグを含む、
請求項１０に記載の装置。
【請求項１３】
チャネル品質のロスを経験したコンポーネント・キャリアを、複数のコンポーネント・キャリアから、少なくとも１つのコンピュータに識別させるためのコードと、
レイヤ３シグナリングによってキャリア品質情報を送信することにより、前記コンポーネント・キャリア上の前記チャネル品質のロスについて基地局に、前記少なくとも１つのコンピュータに通知させるためのコードと、
前記基地局へスケジューリング要求を、前記少なくとも１つのコンピュータに送信させるためのコードと
を備え、前記スケジューリング要求は、制御情報を送信するために前記複数のコンポーネント・キャリアからの特定のアンカー・コンポーネント・キャリアを使用するという前記基地局への表示を含む、コンピュータ・プログラム。
【請求項１４】
前記表示は、前記制御情報の第１の送信のために使用された第１のアンカー・コンポーネント・キャリアとは異なる第２のアンカー・コンポーネント・キャリア上で前記制御情報を再送信するとのフラグを含む、
請求項１３に記載のコンピュータ・プログラム。
【請求項１５】
前記表示は、アンカー・コンポーネント・キャリアとアップリンク・コンポーネント・キャリアとの間の暗黙のマッピングが使用されるべきであることを示すフラグを含む、請求項１３に記載のコンピュータ・プログラム。
【請求項１６】
装置であって、
各コンポーネント・キャリアに関連したキャリア品質を決定するために複数のコンポーネント・キャリアを評価する制御チャネル・モニタ・モジュールと、
各コンポーネント・キャリアに関連した前記キャリア品質に基づいてキャリア品質情報を生成する品質情報モジュールと、
基地局への送信の中に前記キャリア品質情報を組み込む物理レイヤ・モジュールと、
前記基地局へスケジューリング要求を送信するスケジューリング要求生成モジュールと
を備え、前記スケジューリング要求は、制御情報を前記装置へ送信するために前記複数のコンポーネント・キャリアからの特定のアンカー・コンポーネント・キャリアを使用するという前記基地局への表示を含み、前記キャリア品質情報は、レイヤ３シグナリングによって前記基地局に送信される、装置。
【請求項１７】
前記制御チャネル・モニタ・モジュールは、前記複数のコンポーネント・キャリア中の、チャネル品質のロスを経験したコンポーネント・キャリアを識別するように構成される、請求項１６に記載の装置。
【請求項１８】
前記制御チャネル・モニタ・モジュールは、前記コンポーネント・キャリアに関連した前記キャリア品質を、所定の閾値と比較するように構成される、
請求項１７に記載の装置。
【請求項１９】
モバイル・デバイスからスケジューリング要求を受信することと、
前記モバイル・デバイスによって送信されたキャリア品質情報を得ることと、ここにおいて前記キャリア品質情報は、レイヤ３シグナリングによって得られ、
第１のコンポーネント・キャリア上で前記モバイル・デバイスに制御情報を送信することと、
前記制御情報が前記モバイル・デバイスによって受信されるか否かを検出することと、
前記制御情報が受信されないとき、第２のコンポーネント・キャリア上で前記モバイル・デバイスへ前記制御情報を再送信することと
を備える方法。
【請求項２０】
前記スケジューリング要求を評価することと、
前記スケジューリング要求の中にフラグが含まれるか否かを識別することと、
構成されたマッピングにしたがって前記第１のコンポーネント・キャリアを複数のコンポーネント・キャリアから選択することと
をさらに備える、請求項１９に記載の方法。
【請求項２１】
前記スケジューリング要求を伝達するために使用されたアップリンク・コンポーネント・キャリアのアイデンティティを決定することと、
前記アップリンク・コンポーネント・キャリアの前記アイデンティティに基づいて前記第１のコンポーネント・キャリアを識別するように前記構成されたマッピングにクエリを行うことと、
をさらに備える、請求項２０に記載の方法。
【請求項２２】
前記第２のコンポーネント・キャリア上で再送信するとの表示を含む第２のスケジューリング要求を受信することをさらに備える、
請求項１９に記載の方法。
【請求項２３】
前記キャリア品質情報に基づいて前記モバイル・デバイスによってモニタされたコンポーネント・キャリアのセットを構成することをさらに備える、
請求項１９に記載の方法。
【請求項２４】
前記キャリア品質情報を得るために前記スケジューリング要求を評価することをさらに備える、
請求項２３に記載の方法。
【請求項２５】
前記キャリア品質情報は、チャネル品質インジケータ・レポートを備える、
請求項２３に記載の方法。
【請求項２６】
モバイル・デバイスからスケジューリング要求を受信するための手段と、
前記モバイル・デバイスによって送信されたキャリア品質情報を得るための手段と、ここにおいて前記キャリア品質情報は、レイヤ３シグナリングによって得られ、
第１のコンポーネント・キャリア上で前記モバイル・デバイスに制御情報を送信するための手段と、
前記制御情報が前記モバイル・デバイスによって受信されるか否かを検出するための手段と、
前記制御情報が受信されないとき、第２のコンポーネント・キャリア上で前記モバイル・デバイスへ前記制御情報を再送信するための手段と
を備える装置。
【請求項２７】
前記スケジューリング要求を評価するための手段と、
前記スケジューリング要求の中にフラグが含まれるか否かを識別するための手段と、
構成されたマッピングにしたがって前記第１のコンポーネント・キャリアを複数のコンポーネント・キャリアから選択するための手段と、
をさらに備える、請求項２６に記載の装置。
【請求項２８】
前記スケジューリング要求を伝達するために使用されたアップリンク・コンポーネント・キャリアのアイデンティティを決定するための手段と、
前記アップリンク・コンポーネント・キャリアの前記アイデンティティに基づいて前記第１のコンポーネント・キャリアを識別するために前記構成されたマッピングにクエリを行うための手段と、
をさらに備える、請求項２７に記載の装置。
【請求項２９】
前記キャリア品質情報に基づいて前記モバイル・デバイスによってモニタされたコンポーネント・キャリアのセットを構成するための手段をさらに備える、
請求項２６に記載の装置。
【請求項３０】
モバイル・デバイスからのスケジューリング要求を、少なくとも１つのコンピュータに受信させるためのコードと、
前記モバイル・デバイスによって送信されたキャリア品質情報を前記少なくとも１つのコンピュータに得させるためのコードと、ここにおいて前記キャリア品質情報は、レイヤ３シグナリングによって得られ、
前記スケジューリング要求を伝達するために使用されたアップリンク・コンポーネント・キャリアを、前記少なくとも１つのコンピュータに識別させるためのコードと、
前記アップリンク・コンポーネント・キャリアに基づいて複数のコンポーネント・キャリアからのアンカー・コンポーネント・キャリアを、前記少なくとも１つのコンピュータに選択させるためのコードと、
前記アンカー・コンポーネント・キャリア上で制御情報を前記モバイル・デバイスへ、前記少なくとも１つのコンピュータに送信させるためのコードと
を備えるコンピュータ・プログラム。
【請求項３１】
アンカー・コンポーネント・キャリアとアップリンク・コンポーネント・キャリアとの間のマッピングを、前記少なくとも１つのコンピュータに使用させるためのコードをさらに備える、
請求項３０に記載のコンピュータ・プログラム。
【請求項３２】
前記アンカー・コンポーネント・キャリアが前記アップリンク・コンポーネント・キャリアに基づいて選択されることをフラグが示すか否かを識別するために、前記スケジューリング要求を前記少なくとも１つのコンピュータに評価させるためのコードさらに備える、
請求項３０に記載のコンピュータ・プログラム。
【請求項３３】
モバイル・デバイスからスケジューリング要求を受信し、
前記モバイル・デバイスによって送信されたキャリア品質情報を得、ここにおいて前記キャリア品質情報は、レイヤ３シグナリングによって得られ、
第１のコンポーネント・キャリア上で前記モバイル・デバイスへ制御情報を送信し、
前記制御情報が前記モバイル・デバイスによって受信されるか否かを識別し、
前記制御情報が受信されないとき、第２のコンポーネント・キャリア上で前記モバイル・デバイスへ前記制御情報を再送信する、
ように構成された少なくとも１つのプロセッサ
を備える、無線通信装置。
【請求項３４】
前記少なくとも１つのプロセッサは、
前記スケジューリング要求を評価し、
前記スケジューリング要求の中にフラグが含まれるか否かを識別し、
構成されたマッピングにしたがって前記第１のコンポーネント・キャリアを複数のコンポーネント・キャリアから選択する
ようにさらに構成される、請求項３３記載の無線通信装置。
【請求項３５】
前記少なくとも１つのプロセッサは、
前記スケジューリング要求を伝達するために使用されたアップリンク・コンポーネント・キャリアのアイデンティティを決定し、
前記アップリンク・コンポーネント・キャリアの前記アイデンティティに基づいて前記第１のコンポーネント・キャリアを識別するために前記構成されたマッピングにクエリを行う
ようにさらに構成される、請求項３４記載の無線通信装置。
【請求項３６】
前記少なくとも１つのプロセッサは、
前記キャリア品質情報に基づいて前記モバイル・デバイスによってモニタされたコンポーネント・キャリアのセットを構成する
ようにさらに構成される、請求項３３記載の無線通信装置。
【請求項３７】
モバイル・デバイスからスケジューリング要求を受信すること、前記モバイル・デバイスによって送信されたキャリア品質情報を得ること、ここにおいて前記キャリア品質情報は、レイヤ３シグナリングによって得られ、前記スケジューリング要求を伝達するために使用されたアップリンク・コンポーネント・キャリアを識別すること、前記アップリンク・コンポーネント・キャリアに基づいて複数のコンポーネント・キャリアからのアンカー・コンポーネント・キャリアを選択すること、前記アンカー・コンポーネント・キャリア上で前記モバイル・デバイスへ制御情報を送信すること、に関する命令を保持するするメモリと、
前記メモリに結合され、前記メモリ中に保持された命令を実行するように構成されたプロセッサと、
を備える、装置。
【発明の詳細な説明】
【関連出願】
【０００１】
米国特許法第１１９条に基づく優先権の主張  
本特許出願は、本出願の譲受人に譲渡され、参照により本明細書全体に明確に組み込まれる、２００９年５月２１日に出願された「Failure Indication for One or More Carriers in a Multi-Carrier Communication System.」と題する仮特許出願第６１／１８０，３８１号の優先権を主張する。
【技術分野】
【０００２】
以下の説明は、一般に通信システムに関し、より詳細には、複数の複数のキャリアを用いて構成された無線通信システムの中のコンポーネント・キャリアの不具合を表示し回復することに関する。
【背景技術】
【０００３】
無線通信システムは、ボイスおよびデータなど様々なタイプの通信コンテンツを与えるために広く展開されている。典型的なワイヤレス通信システムは、使用可能なシステムリソース（たとえば、帯域幅、送信電力、．．．）を共有することによって複数のユーザとの通信をサポートすることが可能な多元接続システムとすることができる。そのような多元接続システムの例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどがある。さらに、システムは、第３世代パートナーシップ・プロジェクト（３ＧＰＰ）、３ＧＰＰ２、高速パケット接続（ＨＳＰＡ）、高速ダウンリンク・パケット接続（ＨＳＤＰＡ）、高速アップリンク・パケット接続（ＨＳＵＰＡ）３ＧＰＰロングターム・エボリューション（ＬＴＥ）、ＬＴＥアドバンスド（ＬＴＥ−Ａ）などのような仕様に準拠することができる。複数の
一般に、無線多元接続通信システムは、複数のモバイル・デバイスのための通信を同時にサポートすることができる。各モバイル・デバイスは、順方向及び逆方向リンク上での送信によって１または複数の基地局と通信することができる。順方向リンク（あるいは、ダウンリンク）は、基地局からモバイル・デバイスへの通信リンクを指し、逆方向リンク（あるいは、アップリンク）はモバイル・デバイスから基地局への通信リンクを指す。
【０００４】
無線通信の人気が上昇し続けるにつれて、消費者は付加的な特徴及びより高い性能を要求する。そのような特徴は高いデータ・レートを要求することができ、それらを、無線通信システムの限られた帯域幅、電力制約及び／または干渉制約内で、高い信頼性によって達成することは困難であり得る。無線装置（例えば、送信機及び受信機）の複雑性への大きい影響なしに、帯域幅を増加させる１つのオプション（例えば、広帯域幅（widen bandwidth））は、キャリアアグリゲーションをインプリメントすることである。キャリアアグリゲーションを用いて、複数のコンポーネント・キャリアは、全体的により広いシステム帯域幅となるようにアグリゲートされるかグループ化されることができる。各コンポーネント・キャリアは、制御及びトラヒック・チャネルを備える完全なダウンリンク及びアップリンクを含むことができる。したがって、各コンポーネント・キャリアは、無線通信技術の個々の展開として現れることができる。
【０００５】
無線通信デバイス（例えば、基地局、モバイル端末等）は、データを送るために複数のコンポーネント・キャリアを使用するように構成されることができる。例えば、基地局及びモバイル端末は、それぞれ、複数のキャリアのダウンリンク上でデータを送受信するように構成されることができる。さらに、モバイル端末は、複数のアップリンク・キャリア上で複数のアップリンク周波数を使用するように構成されることができる。したがって、より高いデータ・レート及びより大きい全体的スループットは、装置の複雑性への大きい影響なしに、達成されることができる。
【発明の概要】
【０００６】
以下で、１つまたは複数の態様の基本的理解を与えるために、そのような態様の簡略化された概要を提示する。この概要は、すべての企図された態様の包括的な実施形態ではなく、すべての態様の主要または重要な要素を識別するものでも、いずれかまたはすべての実施形態の範囲を定めるものでもない。その唯一の目的は、後で提示するより詳細な説明の導入として、本開示の１つまたは複数の実施形態のいくつかの概念を簡略化された形で提示することである。
【０００７】
１または複数の実施形態及びその対応した開示によると、複数のコンポーネント・キャリアのうちのコンポーネント・キャリアに関するチャネル品質のロスを表示することを容易にすることに関連した様々な態様が記載されている。ＵＥは構成されたコンポーネント・キャリアをモニタして、それと関連するチャネル品質を決定することができる。そのＵＥは、複数のコンポーネント・キャリアのチャネル品質を含むキャリア品質情報を送信することができる。さらに、ＵＥは、チャネル品質のロスを経験しているコンポーネント・キャリアを識別し、悪いチャネル条件を備えたコンポーネント・キャリアを基地局に通知することができる。１つの態様では、ＵＥはスケジューリング要求に追加情報を組み込むことができる。さらに、そのＵＥは、キャリア品質情報を含むＣＱＩレポートを生成することができる。さらに、基地局は、チャネル品質のロスが生じるとき、異なるキャリア上での送信をリトライし、それによって不具合となっているキャリアを避けることができる。さらに、基地局は、送信のためにコンポーネント・キャリアを選択するときに、ＵＥによって提供される情報を使用することができる。
【０００８】
第１の態様によれば、チャネル品質のロスを経験した少なくとも１つのコンポーネント・キャリアを、複数のコンポーネント・キャリアから識別することを含むことができる方法が本明細書に記載される。その方法は、その少なくとも１つのコンポーネント・キャリア上のそのチャネル品質のロスについて基地局に通知することをさらに備える。
【０００９】
別の態様は、無線通信装置に関する。その無線通信装置は、チャネル品質のロスを経験しているコンポーネント・キャリアを、複数のコンポーネント・キャリアから識別するように構成された少なくとも１つのプロセッサを含むことができる。その少なくとも１つのプロセッサは、そのコンポーネント・キャリア上のそのチャネル品質のロスについて基地局に通知するようにさらに構成されることができる。
【００１０】
さらに別の態様は、チャネル品質のロスを経験したコンポーネント・キャリアを、複数のコンポーネント・キャリアから識別するための手段を含むことができる装置に関する。その装置はまた、そのコンポーネント・キャリア上のそのチャネル品質のロスについて基地局に通知するための手段を含むことができる。
【００１１】
別の態様は、コンピュータ可読媒体を備えることができるコンピュータ・プログラム製品に関する。そのコンピュータ可読媒体は、チャネル品質のロスを経験したコンポーネント・キャリアを、複数のコンポーネント・キャリアから、少なくとも１つのコンピュータに識別させるためのコードを含むことができる。そのコンピュータ可読媒体はまた、その少なくとも１つのコンピュータに、そのコンポーネント・キャリア上のそのチャネル品質のロスについて基地局に通知させるためのコードを含むことができる。
【００１２】
別の態様によると、装置が記載される。その装置は、各コンポーネント・キャリアに関連したキャリア品質を決定するために複数のコンポーネント・キャリアを評価する制御チャネル・モニタ・モジュールを含むことができる。さらに、その装置は、各コンポーネント・キャリアに関連したキャリア品質に基づいてキャリア品質情報を生成する品質情報モジュールを含むことができる。さらに、その装置は、基地局への送信の中にキャリア品質情報を組み込む物理レイヤ・モジュールを含むことができる。
【００１３】
他の態様によれば、モバイル・デバイスからスケジューリング要求を受信すること、第１のコンポーネント・キャリア上でそのモバイル・デバイスに制御情報を送信することを含むことができる方法が記載される。さらに、その方法は、その制御情報がそのモバイル・デバイスによって受信されるか否かを検出すること、その制御情報が受信されないとき、第２のコンポーネント・キャリア上でそのモバイル・デバイスへその制御情報を再送信することを含むことができる。
【００１４】
別の態様は、モバイル・デバイスからスケジューリング要求を受信するための手段を含むことができる装置に関する。その装置は、第１のコンポーネント・キャリア上でそのモバイル・デバイスに制御情報を送信するための手段をさらに含むことができる。さらに、その装置は、その制御情報がそのモバイル・デバイスによって受信されるか否かを検出するための手段を含むことができる。さらに、その装置は、その制御情報が受信されないとき、第２のコンポーネント・キャリア上でそのモバイル・デバイスへその制御情報を再送信するための手段を含むことができる。
【００１５】
さらに別の態様は、コンピュータ可読媒体を備えるコンピュータ・プログラム製品に関する。そのコンピュータ可読媒体は、モバイル・デバイスからのスケジューリング要求を、少なくとも１つのコンピュータに受信させるためのコードと、そのスケジューリング要求を伝達するために使用されたアップリンク・コンポーネント・キャリアを、その少なくとも１つのコンピュータに識別させるためのコードと、そのアップリンク・コンポーネント・キャリアに基づいて複数のコンポーネント・キャリアからのアンカー・コンポーネント・キャリアを、その少なくとも１つのコンピュータに選択させるためのコードと、そのアンカー・コンポーネント・キャリア上で制御情報をそのモバイル・デバイスへ、その少なくとも１つのコンピュータに送信させるためのコードとを含むことができる。
【００１６】
さらにまた別の態様は、少なくとも１つのプロセッサを含む無線コンピュータ装置に関する。この少なくとも１つのプロセッサは、モバイル・デバイスからスケジューリング要求を受信し、第１のコンポーネント・キャリア上でそのモバイル・デバイスへ制御情報を送信し、その制御情報がそのモバイル・デバイスによって受信されるか否かを識別し、その制御情報が受信されないとき、第２のコンポーネント・キャリア上でそのモバイル・デバイスへその制御情報を再送信するように構成されることができる。
【００１７】
別の態様によると、装置が記載される。この装置は、モバイル・デバイスからスケジューリング要求を受信すること、そのスケジューリング要求を伝達するために使用されたアップリンク・コンポーネント・キャリアを識別すること、そのアップリンク・コンポーネント・キャリアに基づいて複数のコンポーネント・キャリアからのアンカー・コンポーネント・キャリアを選択すること、そのアンカー・コンポーネント・キャリア上でそのモバイル・デバイスへ制御情報を送信することに関する命令を保存するメモリを含むことができる。この装置はまた、メモリに結合され、このメモリ中に保存された命令を実行するように構成されたプロセッサを含むことができる。
【００１８】
上記および関連する目的を達成するために、１つまたは複数の実施形態は、以下で十分に説明し、特に特許請求の範囲で指摘する特徴を備える。以下の説明および添付の図面に、１つまたは複数の実施形態のうちのいくつかの例示的な態様を詳細に記載する。ただし、これらの態様は、様々な実施形態の原理が採用され得る様々な方法のほんのいくつかを示すものであり、この説明される実施形態は、すべてのそのような態様およびそれらの均等物を含むものとする。
【図面の簡単な説明】
【００１９】
【図１】図１は、様々な態様によるマルチ・キャリア環境中のコンポーネント・キャリアの不具合を表示することを容易にする一例の無線通信システムを示す。
【図２】図２は、種々の態様による構成可能なコンポーネント・キャリアの例示である。
【図３】図３は、種々の態様による、コンポーネント・キャリア上のチャネル品質のロスを無線通信ネットワークに通知することを容易にする一例のシステムの例示である。
【図４】図４は、１または複数の態様による、コンポーネント・キャリア上のチャネル品質のロス中における再構成及び／または回復を容易にする一例のシステムの実例である。
【図５】図５は、様々な態様による、マルチ・キャリア環境においてコンポーネント・キャリアの不具合の通知及び回復のために使用可能なデータ・フローを示す一例のシステムの例示である。
【図６】図６は、種々の態様による、マルチ・キャリア環境におけるコンポーネント・キャリアの不具合を表示することを容易にする一例のシステムの例示である。
【図７】図７は、マルチ・キャリア構成において無線リンクの不具合を決定するための一例の方法の例示である。
【図８】図８は、種々の態様による、コンポーネント・キャリアの不具合について基地局に通知するための一例の方法の例示である。
【図９】図９は、種々の態様による、制御情報の受信を確実にするためにコンポーネント・キャリアをサイクリングするための一例の方法の例示である。
【図１０】図１０は、種々の態様による、スケジューリング要求に基づくアンカー・キャリアの選択を容易にする一例の方法の例示である。
【図１１】図１１は、種々の態様による、１または複数のコンポーネント・キャリアのチャネル品質のロスを無線通信ネットワークに通知することを容易にする一例の装置の例示である。
【図１２】図１２は、種々の態様による、マルチ・キャリア構成において１または複数のコンポーネント・キャリア上のチャネル品質のロスからの回復を容易にする一例の装置の例示である。
【図１３】図１３は、ここに記載された機能性の種々の態様をインプリメントするために使用されることができる無線通信デバイスのブロック図である。
【図１４】図１４は、ここに記載された機能性の種々の態様をインプリメントするために使用されることができる無線通信デバイスのブロック図である。
【図１５】図１５はここに述べられた種々の態様による無線通信システムの例示である。
【図１６】図１６は、ここに記述された種々の態様が機能することができる一例の無線通信システムを示すブロック図である。
【発明を実施するための形態】
【００２０】
以下、図面を参照して様々な実施形態を説明する。図面において、同じ参照数字は同じ要素を示すために一貫して使用される。以下の記載において、説明のために、１または複数の実施形態の完全な理解を提供するために多くの特定の詳細が述べられる。しかしながら、このような１または複数の実施形態は、これらの特定の詳細なしで実行され得ることは明らかである。他の例においては、よく知られた構造及びデバイスは１または複数の実施形態を記述することを容易にするためにブロック図の形態で示される。
【００２１】
本願中で使用されるように、用語「コンポーネント」、「モジュール」、「システム」等は、ハードウェア、ファームウェア、ハードウェアとソフトウェアの組合せ、ソフトウェア、あるいは実行中のソフトウェアのようなコンピュータ関連エンティティを示すよう意図される。例えば、コンポーネントは、プロセッサ上で実行しているプロセス、プロセッサ、オブジェクト、実行可能ファイル、実行スレッド、プログラム、及び／またはコンピュータであることができるが、それに制限されない。例示すると、計算デバイス上で実行するアプリケーションとその計算デバイスは共にコンポーネントであり得る。１または複数のコンポーネントは実行のスレッド及び／またはプロセス内に存在することができ、コンポーネントは２またはそれより多くのコンピュータの間に分散され、及び／または、１つのコンピュータ上に局在化されることができる。さらに、これらのコンポーネントは、様々なデータ構造がその上に格納された様々なコンピュータ可読媒体から実行することができる。コンポーネントは、１または複数のデータ・パケット（例えば、信号によって他のシステムとインターネットのようなネットワークとの間で(across)、及び／または分散型システム、ローカル・システムの中の１つのコンポーネントと対話する別のコンポーネントからのデータ）を有する、信号にしたがって、局所及び／または遠隔プロセスによって通信することができる。
【００２２】
さらに、種々の態様は、無線端末及び／または基地局に関してここに記載される。無線端末は、ユーザに音声及び／またはデータ接続性を供給するデバイスを指すことができる。無線端末は、デスクトップ・コンピュータまたはラップトップ・コンピュータのような計算デバイスに接続されることができ、あるいは、それは、携帯情報端末（ＰＤＡ）のような独立型デバイスであることができる。無線端末はまた、システム、加入者ユニット、加入者局、移動局、モバイル、遠隔局、アクセス・ポイント、遠隔端末、アクセス端末、ユーザ端末、ユーザ・エージェント、ユーザ・デバイス、あるいはユーザ装置（ＵＥ）と呼ばれことができる。無線端末は、加入者局、無線デバイス、セルラ電話、ＰＣＳ電話、コードレス電話、セッション開始プロトコル（ＳＩＰ）電話、無線ローカル・ループ（ＷＬＬ）局、ＰＤＡ、無線接続能力を有するハンドヘルド・デバイス、あるいは無線モデムに接続された他の処理デバイスであることができる。基地局（例えば、アクセス・ポイント、ノードＢ、あるいは進化型ノードＢ（ｅＮＢ））は、無線端末と、１または複数のセクタによってエア・インターフェース上で通信するアクセス・ネットワーク中のデバイスを指すことができる。基地局は、受信されたエア・インターフェース・フレームをＩＰパケットに変換することにより、無線端末と、インターネット・プロトコル（ＩＰ）ネットワークを含むことができるアクセス・ネットワークの残りのものとの間のルータとして働くことができる。基地局はまた、エア・インターフェースのための属性の管理を調整する。
【００２３】
さらに、ここに記述された様々な機能は、ハードウェア、ソフトウェア、ファームウェア、あるいはその任意の組合せでインプリメントされることができる。ソフトウェアでインプリメントされる場合、それらの機能は、コンピュータ可読媒体上のコードあるいは１または複数の命令として、その上に格納されるか、あるいは送信されることができる。コンピュータ可読媒体は、ある場所から別の場所へのコンピュータ・プログラムの転送を容易にする任意の媒体を含む通信媒体及びコンピュータ記憶媒体の両者を含む。記憶媒体は、コンピュータによってアクセスされることができる任意の利用可能な媒体であり得る。例示すると、このようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置あるいは他の磁気記憶デバイス、もしくはコンピュータによりアクセスされることのできるデータ構造または命令の形態で希望するプログラム・コードを伝送するかあるいは格納するために使用されることができる任意の他の媒体を備えることができる。さらに、いずれの接続もコンピュータ可読媒体と適切に呼ばれることができる。例えば、同軸ケーブル、光ファイバ・ケーブル、撚線対、デジタル加入者線（ＤＳＬ）、または赤外線、無線、及びマイクロ波のような複数の無線技術を使用して、ソフトウェアがウェブサイト、サーバ、または他の遠隔ソースから送信される場合、該同軸ケーブル、光ファイバ・ケーブル、撚線対、ＤＳＬ、または赤外線、無線、及びマイクロ波のような複数の無線テクノロジーは媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）（ＢＤ）を含み、ディスク（disk）は、通常、データを磁気的に再生し、ディスク（disc）は、データをレーザで光学的に再生する。上記の組合せもコンピュータ可読媒体の範囲内に含めるべきである。
【００２４】
本明細書で説明するさまざまな技法は、符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システム、シングルキャリアＦＤＭＡ（ＳＣ−ＦＤＭＡ）ネットワークなど様々な無線通信システムに対して使用できる。「システム」及び「ネットワーク」という用語は、ここにおいてしばしば交換可能に使用される。ＣＤＭＡネットワークは、ユニバーサル・テレストリアル・ラジオ接続（ＵＴＲＡ）やＣＤＭＡ２０００、高速パケット接続（ＨＳＰＡ）、高速ダウンロード・パケット接続（ＨＳＤＰＡ）、高速アップリンク・パケット接続（ＨＳＵＰＡ）などのようなラジオ技術をインプリメントすることができる。ＵＴＲＡは、広帯域ＣＤＭＡ（Ｗ−ＣＤＭＡ）およびＣＤＭＡのその他の変形を含む。ＣＤＭＡ２０００は、ＩＳ−２０００規格、ＩＳ−９５規格、ＩＳ−８５６規格をカバーする。ＴＤＭＡシステムは、グローバル・システム・フォー・モバイル・コミュニケーション（ＧＳＭ（登録商標））のような無線技術を実現しうる。ＯＦＤＭＡシステムは、例えば、発展型ＵＴＲＡ（Ｅ−ＵＴＲＡ）、ウルトラ・モバイル・ブロードキャスト（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０．Ｆｌａｓｈ−ＯＦＤＭ（登録商標）などのような無線技術を実現しうる。ＵＴＲＡおよびＥ−ＵＴＲＡは、ユニバーサル・モバイル・テレコミュニケーション・システム（ＵＭＴＳ）の一部である。３ＧＰＰロング・ターム・エボリューション（ＬＴＥ）は、Ｅ−ＵＴＲＡを使用する最新リリースである。これは、ダウンリンクでＯＦＤＭＡを用いて、アップリンクでＳＣ−ＦＤＭＡを用いる。ＨＳＰＡ、ＨＳＤＰＡ、ＨＳＵＰＡ、ＵＴＲＡ、Ｅ−ＵＴＲＡ、ＵＭＴＳ、ＬＴＥ、ＬＴＥ−Ａ、ＳＡＥ、ＥＰＣおよびＧＳＭは第３世代パートナシップ・プロジェクト（３ＧＰＰ）と命名された団体からの文書において説明される。加えて、ＣＤＭＡ２０００およびＵＭＢは、「第３世代パートナーシップ・プロジェクト２」（３ＧＰＰ２）と命名された団体からの文書において説明される。さらに、そのような無線通信システムは、加えて、ペアになっていない無免許のスペクトル、８０２．ｘｘ無線ＬＡＮ、ＢＬＵＥＴＯＯＴＨ（登録商標）、ならびに任意の他の短または長距離無線通信技術をしばしば使用するピア・ツー・ピア（例えば、モバイル・ツー・モバイル）アドホック・ネットワーク・システムを含むことができる。明瞭さのために、ＷＣＤＭＡ、ＨＳＰＡ、ＨＳＤＰＡ、及びＨＳＵＰＡに関連した用語は、以下の記載の中で使用される。しかしながら、明示的にそのように行われない限り、添付された本願請求項は、ＷＣＤＭＡ、ＨＳＰＡ、ＨＳＤＰＡ、及びＨＳＵＰＡに制限されるものではないことが認識されるべきである。
【００２５】
さらに、用語「あるいは」は、排他的な「あるいは」ではなく、包括的な「あるいは」を意味するように意図されている。すなわち、特に明記してあるものを除いて、あるいは文脈から明らかでない限り、「ＸはＡあるいはＢを使用する」という句は、自然な包括的置換のうちの任意のものを意味するように意図される。すなわち、「ＸはＡあるいはＢを使用する」という句は、「ＸはＡを使用する」、「ＸはＢを使用する」、あるいは、「ＸはＡ及びＢの両方を使用する」のうちの任意のものによって満たされる。さらに、本願の明細書及び添付の特許請求の範囲の請求項の中で使用される「１つの」という用語は、一般に、特に明記してあるものを除いて、あるいは単数形に向けられる文脈から明らかでない限り、１または複数を意味するものとして解釈されるべきである。
【００２６】
種々の態様は、いくつかのデバイス、コンポーネント、モジュール等を含むことができるシステムに関して示される。様々なシステムは、追加のデバイス、コンポーネント、モジュール等を含む、および／または、図面に関して説明されたそれらデバイス、コンポーネント、モジュール等のうちの全てを含むわけではないことが理解され、認識される。これらのアプローチの組合せもまた使用されることができる。
【００２７】
図面を参照すると、図１は、種々の態様による、マルチ・キャリア環境中のコンポーネント・キャリアの不具合を表示することを容易にする一例の無線通信システム１００を示す。無線通信システム１００は、無線リンク上で互いと通信するユーザ装置１２０及びｅＮｏｄｅＢ（ｅＮＢ）１１０を含む。一例において、ｅＮＢ１１０は、マクロセル・アクセス・ポイント、フェムトセルあるいはピコセル・アクセス・ポイントのようなアクセス・ポイント、ＮｏｄｅＢ、ｅＮｏｄｅＢ、基地局、モバイル基地局、その部分、及び／または無線通信ネットワークへのアクセスをＵＥに提供する実質的に任意のデバイスあるいは装置であり得る。図１にはただ１つのＵＥ１２０及びｅＮＢ１１０がそれぞれ示されているが、システム１００は任意の数のＵＥ及び／またはｅＮＢを含むことができることを認識すべきである。１つの態様によると、ｅＮＢ１１０は、順方向リンクあるいはダウンリンク・チャネル上でＵＥ１２０へ情報を送信することができ、ＵＥ１２０は逆方向リンクあるいはアップリンク・チャネル上でｅＮＢ１１０へ情報を送信することができる。システム１００は、ＷＣＤＭＡ無線ネットワーク、ＯＦＤＭＡ無線ネットワーク、ＣＤＭＡネットワーク、３ＧＰＰ  ＬＴＥあるいはＬＴＥ−Ａ無線ネットワーク、３ＧＰＰ２  ＣＤＭＡ２０００ネットワーク、ＥＶ−ＤＯネットワーク、ＷｉＭＡＸネットワーク、ＨＳＰＡネットワーク等において動作することができることを認識すべきである。
【００２８】
１つの態様においては、ｅＮＢ１１０及びＵＥ１２０は、複数のコンポーネント・キャリアを使用するように構成されることができる。例えば、ｅＮＢ１１０及びＵＥ１２０は、キャリア１乃至Ｎと示された複数のコンポーネント・キャリア１３０によって通信することができ、ここでＮは１以上の整数である。図１には２つのキャリアが示されているが、ｅＮＢ１１０及びＵＥ１２０は、単一のキャリア、２つのキャリア、３つのキャリア等、システム１００に利用可能な最大数までのコンポーネント・キャリアを用いて動作するように構成されることができることを認識すべきである。
【００２９】
複数のキャリア１３０における各キャリアは、完全な無線インターフェースをカプセル化することができる。例えば、複数のキャリア１３０中の各キャリアは、ＬＴＥあるいはＬＴＥ−Ａ無線インターフェースをそれぞれ含むことができるので、それら複数のキャリア１３０は、物理ダウンリンク共用チャネル（ＰＤＳＣＨ）、物理ダウンリンク制御チャネル（ＰＤＣＣＨ）、物理アップリンク共用チャネル（ＰＵＳＣＨ）、物理アップリンク制御チャネル（ＰＵＣＣＨ）、物理ブロードキャスト・チャネル（ＰＢＣＨ）等のような、しかしそれに制限されない、複数のダウンリンク及びアップリンクの論理チャネル、トランスポート・チャネル、及び物理チャネルをそれぞれ含むことができる。したがって、ＵＥ１２０は複数のキャリア１３０のうちの１つのキャリアによって完全な無線通信サービスを受信することができる。さらに、より大きなデータ・レートは、複数のキャリア１３０のうちの２つ以上のキャリアの利用によって達成されることができる。１つの例において、それら複数のコンポーネント・キャリア１３０はＬＴＥリリースの８つのキャリア（あるいは別の無線通信システムのキャリア）の集合であることができ、ここにおいてレガシーＵＥは単一のコンポーネント・キャリアを使用することができ、一方アドバンスドＵＥは１または複数のコンポーネント・キャリアを使用することができる。ＬＴＥあるいはＬＴＥ−Ａのコンポーネント・キャリア及びチャネルが上述されているが、添付の請求項はそのようなシステムに制限されないこと、及び複数のキャリア１３０はＷＣＤＭＡキャリア、ＨＳＰＡキャリア、ＣＤＭＡ２０００キャリア等であり得ることが認識される。
【００３０】
一つの態様において、複数のキャリア１３０のうちの少なくとも１つのキャリアは、ＵＥ１２０のプライマリ・コンポーネント・キャリア（ＰＣＣ）またはアンカー・キャリアと指定されることができる。各コンポーネント・キャリアは、完全な無線インターフェースを含むことができるが、アンカー・キャリアを指定することは、システム・オーバーヘッドを減少させることができる。例えば、各キャリアは、そのキャリアの動作をサポートするために制御シグナリングを含むことができ、一方においてアンカー・キャリアは、システム全体をサポートする追加のシグナリング（例えば、ページング信号、同期信号、システム・ブロードキャスト等）を伝送することができる。別の例において、各キャリアはユーザ・データを含むことができ、その一方で制御シグナリングは、すべての構成されたキャリアに関して、そのアンカー・キャリア上でのみ提供される。アンカー・キャリアはセル特有（例えば、ｅＮＢ１１０によりサービスを受けるすべてのＵＥは、アンカーとして同じキャリアを使用する）、あるいはＵＥ特有（例えば、各ＵＥは、アンカーとして異なるキャリアを使用する）ことができることが認識される。さらに、各ＵＥに対して２以上のアンカー・キャリアが指定されることができることが認識される。
【００３１】
図２を簡単に参照すると、コンポーネント・キャリアの１つのセットが示されている。コンポーネント・キャリアのそのセットは、キャリア１乃至５を含む。この例では、５つのコンポーネント・キャリアだけが示されているが、もっと少ないあるいはもっと多くのコンポーネント・キャリアが利用可能であり得ることが認識され、本願特許請求の範囲に記載の主題は、任意の数のコンポーネント・キャリアをカバーするよう意図されている。コンポーネント・キャリアのそのセットは、ＵＥ１２０のようなＵＥのために様々なやり方で構成されることができる。例えば、コンポーネント・キャリアのサブセット２０２は、構成されたダウンリンク・コンポーネント・キャリアを含むことができる。ダウンリンク・コンポーネント・キャリアは、少なくとも、ＰＤＳＣＨのようなダウンリンク・チャネル上で伝達されたダウンリンク・ユーザ・データを含む。コンポーネント・キャリア２及び３を備える、別のサブセット２０４は、構成されたアップリンク・コンポーネント・キャリアを含むことができる。アップリンク・コンポーネント・キャリアは、少なくとも、ＰＵＳＣＨのようなアップリンク・チャネル上で伝達されたアップリンク・ユーザ・データを含む。さらに、サブセット２０６は、アンカーまたはプライマリ・コンポーネント・キャリアとして指定されたコンポーネント・キャリアを含むことができる。上述されるように、アンカー・キャリアはユーザ・データと同様に、制御シグナリングも伝達する。例えば、アンカー・キャリア２０６は、ＰＤＣＣＨ及びＰＵＣＣＨのような制御チャネルを含むことができる。
【００３２】
図２に示されるように、サブセット２０２、２０４、および２０６は、オーバーラップすることができる。例えば、コンポーネント・キャリア２のような、コンポーネント・キャリアは、ダウンリンク・コンポーネント・キャリア、アップリンク・コンポーネント・キャリア、及びアンカー・コンポーネント・キャリアであることができる。コンポーネント・キャリア３のような、コンポーネント・キャリアは、ダウンリンク・コンポーネント・キャリア及びアップリンク・コンポーネント・キャリアであることができるが、しかしアンカー・キャリアであることはできない。さらに、キャリア４のような、コンポーネント・キャリアは、ダウンリンク・コンポーネント・キャリア及びアンカー・キャリアであることができるが、しかしアップリンク・コンポーネント・キャリアであることはできない。さらに、コンポーネント・キャリア５のような、コンポーネント・キャリアは構成されないままであることができるので、キャリアは特定のＵＥによって使用されない。図２に示されたサブセットは、ＵＥへのコンポーネント・キャリアの１つの可能な割当てであり、また、基地局とＵＥとの間のコンポーネント・キャリアの構成可能性を示すよう意図されている。ダウンリンク・コンポーネント・キャリア、アップリンク・コンポーネント・キャリア、及び／またはアンカー・キャリアの他の組合せは構成されることができるので、サブセット２０２、２０４及び２０６は、図２に示されたものとは異なるコンポーネント・キャリアを備えることが認識されるべきである。
【００３３】
再び図１を参照すると、単一キャリアの構成において、ｅＮＢ１１０とＵＥ１２０との間の接続は中断されるか、失われ、その結果無線リンクの不具合となり得る。例えば、チャネル品質（例えば、信号対雑音比、干渉レベル、あるいは他の類似のメトリック）は、所定の閾値より下に落ちることがあり得る。所定の閾値は、ネットワーク・ロバストネスあるいは他の考慮事項に基づいてネットワークのオペレータによって確立されることができる。無線リンクの不具合の識別と同時に、ＵＥ１２０は、回復プロシージャを開始することができる。
【００３４】
マルチ・キャリア構成において、無線リンクの不具合は、アンカー・コンポーネント・キャリア（例えば、好ましいコンポーネント・キャリア）のロスにより発生し得る。しかしながら、部分的な不具合は、１または複数のコンポーネント・キャリア上のチャネル品質のロスにより生じ得る。１つの態様では、部分的な不具合は、チャネル品質のロスが複数のコンポーネント・キャリア１３０のサブセットに影響を与えるときに、検出されることができる。１つの態様の中で、部分的な不具合は、影響を受けたサブセットがアンカー・キャリアを含むときに決定される。部分的な不具合の識別と同時に、ＵＥ１２０は、回復メカニズムを開始することができる。例えば、ＵＥ１２０は、接続再確立プロシージャを開始することができる。別の例において、ＵＥ１２０は、新規の接続を確立するためにランダム・アクセス・プロシージャを開始することができる。
【００３５】
別の態様では、影響を受けたサブセットは、少なくとも１つのアンカー・キャリアを含むことができるが、しかし、ＵＥ１２０がモニタするように構成されているすべてのコンポーネント・キャリアを含むわけではない。影響を受けたサブセットに含まれないキャリアは、少なくとも１つのアンカー・コンポーネント・キャリアを含むことができ、その代わりに、影響を受けたサブセットはすべてのアンカー・コンポーネント・キャリアを含むことができる。したがって、ＵＥ１２０は、完全な制御シグナリング・カバレージを必ずしも失うわけではないが、しかし影響を受けたアンカー・コンポーネント・キャリア上で送られるとき、ｅＮＢ１１０から制御シグナリングを受信することはできない。アンカー・キャリア上のチャネル品質のロスからの影響を軽減するために、ｅＮＢ１１０及びＵＥ１２０は、無線リンクの不具合を経験したアンカー・キャリアを識別して回避するように調整することができる。例えば、ＵＥ１２０は、１または複数のアンカー・キャリアを、その条件でｅＮＢ１１０に通知することができる。さらに、ＵＥ１２０は、ｅＮＢ１１０から制御シグナリングを受信すべき好ましいアンカー・キャリアを表示することができる。別の例において、ｅＮＢ１１０はトライアンドエラー・プロシージャを行なうことができ、ここにおいて、ｅＮＢ１１０は、ＵＥ１２０が制御シグナリングをアクノレッジするまでアンカー・キャリアを循環することができる。
【００３６】
図１に示されるように、ｅＮＢ１１０は、１つの態様によると、１または複数のスケジューラ１１２、キャリア構成モジュール１１４、評価モジュール１１６、及び制御情報モジュール１１８を含むことができる。スケジューラ１１２は、ＵＥ１２０）（及び／またはｅＮＢ１１０によりサービスを受ける任意の他のＵＥ（示されていない））へリンク（例えば、ダウンリンクまたはアップリンク）上のリソースを割り当てることができる。一態様では、複数のキャリア１３０は、個々にスケジュールされることができるので、ｅＮＢ１１０は、それぞれが特定のキャリアと関連付けられた複数のスケジューラ１１２を含む。別の態様では、複数のキャリア１３０はスケジューラ１１２によって共同でスケジュールされることができる。キャリア構成モジュール１１４は、ＵＥ１２０がモニタする複数のキャリア１３０からのキャリアのサブセットを確立することができる。さらに、キャリア構成モジュール１１４は、ダウンリンク及びアップリンク・コンポーネント・キャリアをアクティベートする及び／またはデアクティベートすることができる。さらに、キャリア構成モジュール１１４は、ＵＥ１２０のアンカー・キャリアとして１または複数のキャリアを指定することができる。
【００３７】
１つの態様において、ｅＮＢ１１０は、ＵＥ１２０からキャリア品質情報を受信することができる。キャリア品質情報は、複数のキャリア上のチャネル品質をｅＮＢ１１０に表示することができる。キャリア品質情報が提供される複数のキャリアは、ＵＥ１２０によりモニタされたすべてのキャリア及び／またはＵＥ１２０によりモニタされたアンカー・キャリアであることができる。そのキャリア品質情報は、それぞれのコンポーネント・キャリアのチャネル品質に関するメトリクスを含むことができる。例えば、キャリア品質情報は、１または複数のコンポーネント・キャリアに関して、信号対雑音比（ＳＮＲ）、干渉レベル等を含むことができる。別の例において、キャリア品質情報は、１セットのフラグを含むことができ、ここでは各フラグは、ＵＥ１２０が特定のコンポーネント・キャリア上にカバレージを有するか否かを表示する。さらに別の例において、キャリア品質情報は、ＵＥ１２０によって好まれたコンポーネント・キャリアと関連付けられた識別子あるいはインデックスを備えることができる。
【００３８】
評価モジュール１１６は、ＵＥ１２０の観点から、複数のコンポーネント・キャリア１３０の状態を決定するためにＵＥ１２０により伝達されたキャリア品質情報を分析することができる。一態様では、評価モジュール１１６は、チャネル品質に関してコンポーネント・キャリアをランクづけることができる。コンポーネント・キャリアのそのようなランキングは、ｅＮＢ１１０が最良のチャネル条件を提供したコンポーネント・キャリアを好むことができる。別の態様においては、評価モジュール１１６は、悪いチャネル条件を有するコンポーネント・キャリアを識別することができる。この情報に基づいて、ｅＮＢ１１０、及び、とくに、キャリア構成モジュール１１４は、ＵＥ１２０によってモニタされたコンポーネント・キャリアの１つのセットを更新することができる。
【００３９】
制御情報モジュール１１８は、複数のキャリア１３０のうちの１または複数のキャリア上で、ＰＤＣＣＨのような制御チャネル上でＵＥ１２０に送信される制御シグナリングを生成することができる。制御シグナリングは、電力制御コマンド、ハイブリッド自動繰返し要求（ＡＲＱ）アクノレッジメント、ユーザ・データの復調及び復号を容易にする情報、アップリンク・トランスポート・フォーマット、アップリンク・スケジューリング許可、リソース割当情報、スケジューリング情報等のようなダウンリンク制御情報を備えることができる。制御シグナリングは、ＵＥ１２０によってモニタされる１または複数のアンカー・キャリアのＰＤＣＣＨ上で送信されることができる。
【００４０】
ＵＥ１２０は、キャリア構成モジュール１２２、制御チャネル・モニタ・モジュール１２４、及び品質情報モジュール１２６を含むことができる。キャリア構成モジュール１２２は、ＵＥ１２０によってモニタされるアンカー・コンポーネント・キャリア、アップリンク・コンポーネント・キャリア、及びダウンリンク・コンポーネント・キャリアを確立するｅＮＢ１１０から制御シグナリングを受信することができる。キャリア構成モジュール１２２は、情報を送受信するためにＵＥ１２０によって使用されたコンポーネント・キャリアのアクティベーション及び出アクティベーションを容易にすることができる。
【００４１】
制御チャネル・モニタ・モジュール１２４は、ＵＥ１２０によってモニタされた１または複数のキャリアの制御チャネル品質をモニタする。制御チャネル・モニタ・モジュール１２４は、各アンカー・キャリアのそれぞれと関連したＳＮＲを確認するために１つのセットのアンカー・キャリア上のチャネル品質を測定することができる。別の例において、制御チャネル・モニタ・モジュール１２４は、キャリア構成モジュール１１４及び／または１２２によってモニタするようにＵＥ１２０が構成されているいずれのコンポーネント・キャリア上のチャネル品質を決定することができる。品質情報モジュール１２６は、制御チャネル・モニタ・モジュール１２４により提供される情報に基づいてキャリア品質情報を生成することができる。キャリア品質情報は、複数のキャリア上のチャネル品質を表示することができる。キャリア品質情報が提供される複数のキャリアは、ＵＥ１２０によりモニタされるすべてのキャリア及び／またはＵＥ１２０によってモニタされるアンカー・キャリアであることができる。キャリア品質情報は、それぞれのコンポーネント・キャリアのチャネル品質上のメトリクスを含むことができる。例えば、キャリア品質情報は、１または複数のコンポーネント・キャリアに関して、ＳＮＲ、干渉レベル等を含むことができる。別の例において、キャリア品質情報は１セットのフラグを含むことができ、ここでは各フラグは、ＵＥ１２０が特定のコンポーネント・キャリア上にカバレージを有するか否かを表示する。さらに別の例において、キャリア品質情報は、ＵＥ１２０によって好まれたコンポーネント・キャリアと関連付けられた識別子あるいはインデックスを備えることができる。
【００４２】
一例によると、ＵＥ１２０は、少なくとも１つのアンカー・コンポーネント・キャリア上のチャネル品質のロスを検出することができる。ＵＥ１２０は、ｅＮＢ１１０が、複数のコンポーネント・キャリア１３０をモニタし、使用するよう構成されるが、複数のコンポーネント・キャリア１３０のサブセットは、アンカーまたはプライマリ・コンポーネント・キャリアとして指定される。アンカー・キャリアとして指定されたキャリアのサブセットは、その複数のコンポーネント・キャリア１３０を包含する、またはアンカー・キャリアとして指定されたキャリアのサブセットは、複数のキャリア１３０からの、すべてではないが、１または複数のキャリアを含むことができることが認識される。チャネル品質のロスを検出することにおいて、制御チャネル品質モニタ・モジュール１２４は、チャネル品質が、いつ、所与のアンカー・コンポーネント・キャリアに対して所定の閾値より下になったかを識別することができる。例えば、制御チャネル品質モニタは、その所与のアンカー・コンポーネント・キャリアのチャネル品質を、所定の閾値と比較することができる。その所定の閾値は、接続セットアップ中にｅＮＢ１１０が確立した構成パラメータ、特定のネットワーク・インプリメンテーションに調整されたオペレータ提供パラメータ(operator supplied parameter)、及び／またはＵＥ１２０によって収集された過去の性能情報に基づく学習値(learned value)であることができる。品質情報モジュール１２６は、チャネル品質のロスを反映するキャリア品質情報を生成することができる。例えば、品質情報モジュール１２６は、ビットマップを生成することができ、ここにおいて各ビット位置は、それぞれのアンカー・コンポーネント・キャリアに対応する。そのビットマップの各ビットは、その対応するアンカー・コンポーネント・キャリアがカバレージを保持するか、あるいはカバレージを失ったのかを表示する。別の態様において、品質情報モジュール１２６は、複数のキャリア１３０の各コンポーネント・キャリア及び／または各アンカー・コンポーネント・キャリアに関係したチャネル品質情報（ＣＱＩ）レポートを生成することができる。ＣＱＩレポートは、チャネル品質のロスを経験したコンポーネント・キャリアを表示することができる。信頼できるチャネル品質を維持するアンカー・コンポーネント・キャリアを指定するコンポーネント・キャリア・インデックスまたは識別子を表示する情報を生成することができる。さらに、キャリア・インデックスまたは識別子は、好ましいアンカー・コンポーネント・キャリアを指定することができ、ここにおいて、その好ましいアンカー・コンポーネント・キャリアは、チャネル品質のロスを経験したアンカー・キャリアではない。さらに、品質情報モジュール１２６は、より高いレイヤ・シグナリング（例えば、ＲＲＣシグナリング、レイヤ３シグナリング等）によって伝達されることができる詳細なメッセージを生成することができる。詳細なメッセージは、複数のキャリア１３０の１または複数のキャリア上のチャネル品質情報を含むことができる。例えば、詳細なメッセージは、ある時間期間にわたるチャネル質測定値を含むことができる。
【００４３】
別の例によると、ｅＮＢ１１０は、ＵＥ１２０によって送信されたキャリア品質情報を受信し、評価することができ、ここにおいて、キャリア品質情報は、ＵＥ１２０によってモニタされる少なくとも１つのアンカー・キャリア上のチャネル品質のロスを表示する。キャリア品質情報に応答して、ｅＮＢ１１０は、ＵＥ１２０に関係した信頼できるチャネル品質を有するコンポーネント・キャリア上で制御情報モジュール１１８によって提供される制御情報を送信することができる。別の態様においては、キャリア品質情報は、特定のアップリンク・コンポーネント・キャリア上で送信されるフラグであることができる。フラグは、特定のアップリンク・コンポーネント・キャリアに暗黙的にリンクされるアンカー・コンポーネント・キャリアあるいはダウンリンク・コンポーネント・キャリア上で制御情報が送信されるべきであることを、ｅＮＢ１１０に通知する。さらに別の態様において、ｅＮＢ１１０は、キャリア品質情報を受信するために、より高いレベルのシグナリング（例えば、レイヤ３シグナリング）を使用することができる。より高いレベルのシグナリングを使用するために、ｅＮＢ１１０は、キャリア品質情報にアップリンク・リソースを割当てるＵＥ１２０にスケジューリング割当を送信する。スケジューリング割当を送信するとき、ｅＮＢ１１０は、１つのキャリア上での前の送信が不具合であると、異なるアンカー・コンポーネント・キャリア上でその割当を再送信することができる。再送信の決定は、暗黙的に及び／または明示的に決定されることができる。例えば、ｅＮＢ１１０は、アクノレッジメントが（例えば、コンポーネント・キャリア上のチャネル品質のロスにより）受信されないとき、スケジューリング割当を再送信することができる。別の例において、ＵＥ１２０は、別のアンカー・コンポーネント・キャリア上でリトライするために、ｅＮＢ１１０に明示的な通知を送信することができる。
【００４４】
さらなる態様によると、ｅＮＢ１１０は、キャリア品質情報に基づいてＵＥ１２０に関連したキャリア構成を変更することができる。例えば、ｅＮＢ１１０は、キャリア構成モジュール１１４を使用して、不具合となっているコンポーネント・キャリアをデアクティベートすることができる、及び／または信頼できるチャネル品質を有するコンポーネント・キャリアをアクティベートすることができる。別の例においては、キャリア構成モジュール１１４は、キャリア品質情報が新しいキャリア上に信頼できる制御チャネル品質を表示するとき、プアな制御チャネル品質を備えたキャリアを未指定のキャリアとすることができ、その新しいキャリアをアンカーとして指定することができる。さらに、上記の不具合表示及び回復メカニズムは、ＬＴＥ−Ａに関して記載されているが、３ＧＰＰ・ＬＴＥ、ＵＭＴＳ、ＣＤＭＡ、ＣＤＭＡ２０００、ＨＳＰＡ、ＷＣＤＭＡ、ＷｉＭＡＸ、ＷｉＦｉ及び／または他の技術は、本明細書に記載された概念を使用して、制御チャネル受信を改善することができることが認識される。
【００４５】
図３を参照すると、種々の態様による、コンポーネント・キャリア上のチャネル品質のロスを無線通信ネットワークに通知することを容易にするシステム３００が示されている。システム３００は、ｅＮＢ１１０及びＵＥ１２０を含むことができ、それらは複数のコンポーネント・キャリア１３０によって通信する。ｅＮＢ１１０は、複数のアンカー・キャリアとして複数のコンポーネント・キャリア１３０のサブセットを使用するためにＵＥ１２０を構成することができる。
【００４６】
図１に関して上述されるように、ＵＥ１２０は、キャリア構成モジュール１２２、制御チャネル・モニタ・モジュール１２４、及び品質情報モジュール１２６を含むことができる。さらに、ＵＥ１２０は、ＰＵＣＣＨ及び／またはＰＵＳＣＨ上で伝達されるアップリンク制御情報のようなレイヤ２シグナリングの中に含まれるようにスケジューリング要求を構成することができるスケジューリング要求生成モジュール３０２を含むことができる。スケジューリング要求は、品質情報モジュール１２６によって提供されるキャリア品質情報に基づいて生成された情報の追加のビットを組込むことができる。例えば、情報の追加のビットは、ビットマップを含むことができ、ここにおいて各ビット位置は、対応するコンポーネント・キャリアに関連付けられる。スケジューリング要求生成モジュール３０２は、対応するコンポーネント・キャリアがキャリア品質情報中に表示される信頼できるチャネル品質を有するか否かに基づいてビットマップの各ビットに関する値を確立することができる。別の例において、情報の追加のビットは、信頼できるチャネル品質を備えた特定のコンポーネント・キャリアに関連した識別子あるいはインデックスを含むことができる。この情報がスケジューリング要求の一部として送信されると、ダウンリンク及び／またはアップリンク上のＵＥ１２０をスケジュールするとき、その情報は、ｅＮＢ１１０が容易に利用可能なものとなる。さらに、ｅＮＢ１１０は、効率的にＵＥ１２０にスケジューリング割当及び他の制御情報を効率的に送信するために情報を使用することができる。
【００４７】
別の態様においては、ＵＥ１２０は、特定のアップリンク・コンポーネント・キャリア上でスケジューリング要求生成モジュール３０２によって生成されたスケジューリング要求を送信することができる。スケジューリング要求が送信されるアップリンク・コンポーネント・キャリアに関連した識別子は、スケジューリング割当を送信すべき適切なアンカー・コンポーネント・キャリアをｅＮＢ１１０に通知する。例えば、アップリンク・コンポーネント・キャリア・インデックスとアンカー・キャリア・インデックスとの間のマッピングが構成されることができる。そのマッピングは、セル特有ｅＮＢ１１０によってサービスされるすべてのＵＥにより共用される）、あるいはＵＥ特有（ｅＮＢ１１０によってサービスされる各ＵＥに関して別々に構成される）ことができる。一態様においては、フラグは、その構成されたマッピングを使用したいとの希望を表示するためにスケジューリング要求の中に組込まれることができる。その代りに、マッピングはデフォルト動作として使用されることができる。
【００４８】
ＵＥ１２０は、少なくとも複数のアンカー・キャリアに関連した制御チャネルＣＱＩレポートを生成するＣＱＩレポート・モジュール３０４をさらに含むことができる。ＣＱＩレポート・モジュール３０４は、所与のコンポーネント・キャリアの制御チャネル品質の著しい変化のようなトリガ・イベントに基づいて、及び／または周期的に、レポートを生成するように構成されることができる。別の態様では、ＣＱＩレポート・モジュール３０４は、複数のアンカー・キャリアに加えて複数のキャリア１３０の各キャリア上でＣＱＩレポートを生成することができる。広範囲のＣＱＩレポートは、ｅＮＢ１１０が複数のアンカー・キャリアを動的に修正することを可能にすることができるので、最も信頼できるチャネル品質を有するコンポーネント・キャリアがアンカー・キャリアとして選択される。
【００４９】
システム３００においてさらに示されるように、ＵＥ１２０は、プロセッサ３０６及び／またはメモリ３０８を含むことができ、それらはキャリア構成モジュール１２２、制御チャネルモニタ・モジュール１２４、品質情報モジュール１２６、スケジューリング要求生成モジュール３０２、ＣＱＩレポート・モジュール３０４の一部あるいはすべての機能性、及び／またはＵＥ１２０の他の機能性をインプリメントするために使用されることができる。
【００５０】
次に図４を参照すると、１または複数の態様による、コンポーネント・キャリア上のチャネル品質のロスの間の再構成及び／または回復を容易にするシステム４００が示されている。システム４００は、ｅＮＢ１１０及びＵＥ１２０を含むことができ、それらは複数のコンポーネント・キャリア１３０によって通信する。ｅＮＢ１１０は、複数のアンカー・キャリアとして複数のコンポーネント・キャリア１３０のサブセットを使用するようにＵＥ１２０を構成することができる。
【００５１】
図１を参照して上述したように、ｅＮＢ１１０は、スケジューラ１１２、キャリア構成モジュール１１４、評価モジュール１１６、及び制御情報モジュール１１８を含むことができる。さらに、ｅＮＢ１１０は、スケジューリング要求評価モジュール４０２を含むことができる。１つの態様では、スケジューリング要求評価モジュール４０２は、１または複数のアンカー・コンポーネント・キャリアがＵＥ１２０によって送信されるスケジューリング要求の中にいつ表示されるかを識別することができる。ｅＮＢ１１１０は、その表示されたアンカー・コンポーネント・キャリアを使用して、ＵＥ１２０にダウンリンク制御情報を伝達することができる。別の態様において、スケジューリング要求評価モジュール４０２は、そのスケジューリング要求の中に組込まれたビットマップを分析することができる。ビットマップの各ビットは、対応するコンポーネント・キャリアが信頼できるチャネル品質を有するか否かを表示することができる。スケジューリング要求評価モジュール４０２は、そのビットマップに基づいて信頼できるコンポーネント・キャリアを識別することができる。
【００５２】
別の態様において、スケジューリング要求評価モジュール４０２は、スケジューリング要求の中で指定された特定のアンカー・コンポーネント・キャリアを識別することができる。スケジューリング要求は、特定のアンカー・キャリアに関連したインデックス、あるいはその特定のアンカー・キャリアに割当てられたアンデンティティを含むことができる。スケジューリング要求の中に含まれるアンカー・キャリアのアンデンティティは、一態様によると、ｅＮＢ１１０中に含まれる再送信モジュール４０４によって使用されることができる。キャリア品質情報は、無線リソース制御（ＲＲＣ）あるいは他のレイヤ３シグナリングのような、より高いレイヤ・シグナリングによって、ＵＥ１２０により伝達されることができる。ＵＥ１２０がキャリア品質情報を送信することを可能にするために、スケジューラ１１２は、ＵＥ１２０にリソースを割当てる。割当てられたリソースは、制御情報モジュール１１８によって生成され、ＵＥ１２０のために構成された複数のアンカー・キャリアのうちの少なくとも１つと関連付けられた制御チャネル上でＵＥ１２０へ送信されるダウンリンク制御情報の中で指定される。
【００５３】
制御情報を伝達するために選択された制御チャネルがチャネル品質のロスを経験したコンポーネント・キャリアと関係している可能性が存在する。再送信モジュール４０４は、ＵＥ１２０による受信を確実にするために制御情報の再送信を容易にする。１つの態様では、再送信モジュール４０４は、トライアンドエラー・アプローチをインプリメントすることができる。例えば、もし初期送信がＵＥ１２０に到達しなければ、再送信モジュール４０４は、ＵＥ１２０が制御情報の受信をアクノレッジするまで、構成されたアンカー・キャリアを循環することができる。別の態様において、再送信モジュール４０４は、スケジューリング要求評価モジュール４０２によって評価されるスケジューリング要求の中に含まれるアンカー・キャリア・アンデンティティを得ることができる。続いて、再送信モジュール４０４は、その識別されたアンカー・キャリア上での制御情報の送信を試みることができる。さらに別の態様において、再送信モジュール４０４は、ＵＥ１２０によって非アクノレッジメントであることを推測することができる。例えば、ｅＮＢ１１０は、スケジュールされたリソースがＵＥ１２０に割当てられているにもかかわらず特定のサブフレーム中で使用されないことを検出することができる。したがって、再送信モジュール４０４は、別のコンポーネント・キャリア上でスケジューリング割当を含む制御情報を送信することを試みることができる。別の態様において、ＵＥ１２０は、スケジューリング要求の中に非アクノレッジメントであることを組込むことができる。例えば、スケジューリング要求は、制御情報を送信するために別のキャリアが使用されるべきであることを、ｅＮＢ１１０に表示する追加のビットを含むことができる。再送信モジュール４０４は、異なるコンポーネント・キャリア上での再送信を開始するために追加のビットをトリガーとして使用することができる。
【００５４】
ｅＮＢ１１０は、制御情報の信頼できる配信を確実にするために、アップリンク・キャリアとダウンリンク・キャリア（あるいは、アンカー・キャリア）との間で暗黙的な関連付け(association)を使用するキャリア・リンク・モジュール４０６を含むことができる。例えば、キャリア・リンク・モジュール４０６は、アップリンク・キャリア・インデックスあるいはアイデンティティとアンカー・キャリア・インデックスあるいはアイデンティティとの間のマッピングを構成することができる。マッピングは、スケジューリング割当を含むダウンリンク制御情報が送信されるアンカー・キャリアと、スケジューリング要求のようなアップリンク制御情報を伝送するアップリンク・キャリア・コンポーネントとの間のリンクを提供する。ｅＮＢ１１０は、ダウンリンク制御情報を送信するために使用するために、アンカー・キャリアを識別するためにキャリア・リンク・モジュール４０６を使用することができる。例えば、キャリア・リンク・モジュール４０６は、適切なアンカー・キャリアを識別するためにマッピングにクエリを行うことができる。１つの態様では、ｅＮＢ１１０は、デフォルトでキャリア・リンク・モジュール４０６を使用することができる。別の態様においては、マッピングを使用したいとの希望を、ＵＥ１２０に代って表示するフラグをスケジューリング要求が含むとき、ｅＮＢ１１０は、キャリア・リンク・モジュール４０６を使用することができる。例えば、ＵＥ１２０は、特定のキャリア上のチャネル品質のロスを観察することができる。これに応じて、ＵＥ１２０は、そのフラグを主張するスケジューリング要求を備えた特定のアップリンク制御チャネル上でリソース要求を送信することができる。このようにして、ｅＮＢ１１０及びＵＥ１２０は、ＵＥ１２０が制御情報を高い信頼性により受信することを確実にするように調整することができる。
【００５５】
システム４００にさらに示されるように、ｅＮＢ１１０は、プロセッサ４０８及び／またはメモリ４１０を含むことができ、それらはスケジューラ１１２、キャリア構成モジュール１１４、評価モジュール１１６、制御情報モジュール１１８、スケジューリング要求評価モジュール４０２、再送信モジュール４０４、キャリア・リンク・モジュール４０６の一部またはすべての機能性、及び／または、ｅＮＢ１１０の他の機能性をインプリメントするために使用されることができる。
【００５６】
図面を参照すると、図５は、マルチ・キャリア環境におけるコンポーネント・キャリアの不具合の通知及び回復に使用可能なデータ・フローを示す一例の無線通信システム５００を示す。システム５００は、無線ネットワーク上で互いに通信する無線デバイス５０２及び５２０を含む。一例において、無線デバイス５０２及び／または５２０は、マクロセル・アクセス・ポイント、フェムトセルあるいはピコセル・アクセス・ポイントのようなアクセス・ポイント、ｅＮＢ、モバイル基地局、その一部分、及び／または無線ネットワークへのアクセスを提供する実質的に任意のデバイスであり得る。別の例において、無線デバイス５０２及び／または５２０は、ＵＥのようなモバイル・デバイス、その一部分、及び／または、無線ネットワークへのアクセスを受信する実質的に任意のデバイスあるいは装置であることができる。
【００５７】
無線デバイス５０２は、無線デバイス５２０を用いてデータを送受信することを容易にするために複数の通信レイヤを備えることができる。例えば、無線デバイス５０２は、パケット・ヘッダを圧縮し、データのインテグリティ保護と暗号化(ciphering)とを容易にすることのできるパケット・データ・コンバージェンス・プロトコル（ＰＤＣＰ）モジュール５０６を含むことができる。無線デバイス５０２はまた、セグメント化／連結(concatenation)、再送信ハンドリング、及びより高いレイヤへのイン・シーケンス(in-sequence)配信をもたらす無線リンク制御（ＲＬＣ）モジュール５０８と、論理チャネル多重化、ハイブリッド自動繰返し要求（ＨＡＲＱ）、再送信、スケジューリングを行なう媒体アクセス制御（ＭＡＣ）モジュール５１０と、符号化／復号、変調／復調、及びアンテナ／リソース・マッピングを管理する物理レイヤ・モジュール５１２とを含むことができる。同様に、無線デバイス５２０は、同一あるいは類似の機能性を提供するＰＤＣＰモジュール５２４、ＲＬＣモジュール５２６、ＭＡＣモジュール５２８、及び物理レイヤ・モジュール５３０を含むことができる。
【００５８】
一例によると、無線デバイス５０２は、無線チャネルを介して無線デバイス５２０へインターネット・プロトコル（ＩＰ）パケット５０４を送信することができる。無線チャネルは、ダウンリンク・チャネルあるいはアップリンク・チャネルであり得る。無線デバイス５０２のより高いレイヤ（示されていない）は、ＩＰパケット５０４を生成するか、あるいは、そうでなければ、１または複数のデバイスに送信するためにＩＰパケット５０４を受信することができる。より高いレイヤは、アプリケーション・レイヤ、ＩＰレイヤ及び／または同種のものを含むことができる。ＰＤＣＰモジュール５０６はより高いレイヤからＩＰパケット５０４を受信し、１または複数のＰＤＣＰサービス・データ・ユニット（ＳＤＵ）を生成することができる。ＰＤＣＰモジュール５０６は、ＩＰパケット５０４上でＩＰヘッダ圧縮を行なうことができる。さらに、ＰＤＣＰモジュール５０６は、ＩＰパケット５０４を暗号化する、及び／またはＩＰパケット５０４上の完全性保護（integrity protection）を提供することができる。ＰＤＣＰモジュール５０６は、圧縮されて暗号化されたＩＰパケット５０４（例えば、ＰＤＣＰ  ＳＤＵ）を、そのＰＤＣＰ  ＳＤＵと関係した少なくとも１つのシーケンス番号を含むＰＤＣＰヘッダと組合せることによって、ＰＤＣＰプロトコル・データ・ユニット（ＰＤＵ）をさらに生成することができる。ＰＤＣＰ  ＰＤＵは、ＲＬＣモジュール５０８に提供されることができ、それは１または複数のＰＤＣＰ  ＰＤＵをセグメント化し、ＲＬＣヘッダと共にＲＬＣ  ＰＤＵへ連結することができる。例えば、リソース・スケジューリング決定に基づいて、ＲＬＣ  ＰＤＵを生成するために１または複数のＰＤＣＰ  ＰＤＵをセグメント化し、連結するＲＬＣモジュール５０８によって管理されるＲＬＣバッファからの送信のために、特定の量のデータが選ばれる。
【００５９】
ＲＬＣモジュール５０８は、ＲＬＣ  ＰＤＵをＭＡＣモジュール５１０に提供し、それは論理チャネルの形態でＲＬＣモジュール５０８にＭＡＣレイヤ・サービス（例えば、多重化、ＨＡＲＱ再送信、スケジューリング等）を提供する。論理チャネルは、伝送される情報のタイプに基づいて特徴付けられることができる。例えば、ＭＡＣモジュール５１０によって提供される論理チャネルは、無線ネットワークからモバイル・デバイスへシステム情報を伝達するブロードキャスト制御チャネル（ＢＣＣＨ）と、ページングモバイル・デバイスのために使用されるページング制御チャネル（ＰＣＣＨ）と、ランダム・アクセスと関連して制御情報を伝送する共通制御チャネル（ＣＣＣＨ）と、モバイル・デバイスへ及び／またはモバイル・デバイスから、制御情報を伝送する専用制御チャネル（ＤＣＣＨ）と、モバイル・デバイスからの及び／またはモバイル・デバイスへのユーザ・データのために使用される専用トラヒック・チャネル（ＤＴＣＨ）と、ならびにマルチメディア・ブロードキャスト・マルチキャスト・サービスの送信を伝送するマルチキャスト・トラヒック・チャネル（ＭＴＣＨ）に関連して制御情報を伝送するために使用されるマルチキャスト制御チャネル（ＭＣＣＨ）とを含むことができる。
【００６０】
ＭＡＣモジュール５１０は、論理チャネルをトランスポート・チャネルへマップすることができ、それらは物理レイヤ・モジュール５１２によって提供されるサービスを表わす。トランスポート・チャネル上のデータはトランスポート・ブロックに体系付け(organize)られる。所与の送信時間インターバル（ＴＴＩ）に関して、１または複数のトランスポート・ブロックが無線インターフェース上で送信される。１つの例において、ＭＡＣモジュール５１０は、１または複数のトランスポート・ブロックへＲＬＣ  ＰＤＵを多重化する。
【００６１】
トランスポート・ブロックは物理レイヤ・モジュール５１２に提供されることができ、それは符号化、変調、マルチ・アンテナ処理、及び／または、物理的な時間−周波数リソース（例えばリソース要素）への信号のマッピングを容易にする。一例によると、物理レイヤ・モジュール５１２は、誤り検出を容易にするためにトランスポート・ブロックに巡回冗長検査（ＣＲＣ）を導入することができる。さらに、物理レイヤ・モジュール５１２は、トランスポート・ブロックのビットを符号化する符号化モジュール５１４を含むことができる。１つの例において、符号化モジュール５１４によってターボ・コーディングが使用されることができる。物理レイヤ・モジュール５１２は、シンボルを生成するために符号化されたビットを変調する変調モジュール５１６を含むことができる。物理レイヤ・モジュール５１２は、空間多重化、ビームフォーミング及び／または送信ダイバーシティのような異なるマルチ・アンテナ送信スキームを提供するようにアンテナを構成するためにマッピング・モジュール５１８を使用することができる。さらに、マッピング・モジュール５１８は、無線で送信することを可能にするために物理リソース要素にシンボルをマップすることができる。
【００６２】
無線デバイス５０２は、１または複数のアンテナ５５０を介して送信を受信することができる無線デバイス５２０へＩＰパケット５０４を送信するために１または複数のアンテナ５４０を使用することができる。図５は、無線デバイス５０２及び５２０にそれぞれ関連した２つのアンテナを示すが、無線デバイス５０２及び５２０は実質的に任意の数のアンテナを含むことができることが認識される。無線デバイス５０４からのＩＰパケット５０４の受信の後、無線デバイス５２０は、送信を復号し、復調するために、物理レイヤ・モジュール５３０を使用することができる。例えば、物理レイヤ・モジュール５３０は、１つのセットのシンボルを復元するためにリソース要素をデマップするデマッピング・モジュール５３６を含むことができる。物理レイヤ・モジュール５３０はまた復調モジュール５３４を使用することができ、それは符号化されたビットのセットを復元するためにそのシンボルのセットを復調する。さらに、トランスポート・ブロックを生成するために符号化されたビットのセットを復号するために、復号モジュール５３２が物理レイヤ・モジュール５３０に含まれる。トランスポート・ブロックは、誤り（例えば、復号誤り、送信誤り等）のために必要な場合に、ＨＡＲＱ再送信を管理するために、及び１または複数のＲＬＣ  ＰＤＵを生成するためにＭＡＣデマルチプレックスすることを容易にするために、ＭＡＣモジュール５２８に提供されることができる。１または複数のＲＬＣ  ＰＤＵは、リアセンブリのためにＲＬＣモジュール５２６に提供されることができる。例えば、ＲＬＣ  ＰＤＵは１または複数のＲＬＣ  ＳＤＵ及び／またはその部分を備えることができる。したがって、ＲＬＣモジュール５２６は、ＲＬＣ  ＰＤＵからＲＬＣ  ＳＤＵを再構成する。リアセンブルされたＲＬＣ  ＳＤＵは、ＰＤＣＰモジュール５２４によって処理されることができ、それは、ＩＰパケット５２２のような１または複数のデータ・パケットを復元するためにＲＬＣ  ＳＤＵの暗号を解読し(deciphers)、解凍する。
【００６３】
無線デバイス５２０は、無線デバイス５０２へデータ・パケットを送信するために無線デバイス５０２と類似の機能性及び／または類似のモジュールを使用することができることが認識される。さらに、無線デバイス502は、無線デバイス５２０のような異種のデバイスからの送信を受信するために無線デバイス５２０に関して上述された類似のコンポーネント及び／または機能性を使用することができる。システム５００にさらに示されるように、無線デバイス５０２は、プロセッサ５１７及び／またはメモリ５１９を含むことができ、それらはＰＤＣＰモジュール５０６、ＲＬＣモジュール５０８、ＭＡＣモジュール５１０、及び物理レイヤ・モジュール５１２の機能性のうちの一部あるいはすべてをインプリメントするために使用されることができる。同様に、図５は、無線デバイス５２０もまたプロセッサ５３７及び／またはメモリ５３９を含むことができ、それらがＰＤＣＰモジュール５２４、ＲＬＣモジュール５２６、ＭＡＣモジュール５２８、及び物理レイヤ・モジュール５３０の機能性のうちの一部あるいはすべてをインプリメントするために使用されることができることを示す。
【００６４】
以下、図６を参照すると、種々の態様による、マルチ・キャリア環境においてコンポーネント・キャリアの不具合を表示することを容易にするシステム６００が示されている。システム６００は、ｅＮＢ６０２及びＵＥ６０４を含むことができ、先の図面に関して上述したように、ｅＮＢ６０２及びＵＥ６０４は、それぞれ、ｅＮＢ１１０及びＵＥ１２０に類似していることができる。ｅＮＢ６０２は、先に述べたＰＤＣＰモジュール５０６、ＲＬＣモジュール５０８、ＭＡＣモジュール５１０、及び物理レイヤ・モジュール５１２を含むことができる。さらに、ＵＥ６０４は、ＰＤＣＰモジュール５２４、ＲＬＣモジュール５２６、ＭＡＣモジュール５２８、及び物理レイヤ・モジュール５３０を含むことができる。
【００６５】
１つの態様では、ｅＮＢ６０２は、無線リンク上でＵＥ６０４と通信することができる。その無線リンクは１つのセットのコンポーネント・キャリア６１８を含むことができる。コンポーネント・キャリアのセット６１８は、ダウンリンク・コンポーネント・キャリアのサブセット、アップリンク・コンポーネント・キャリアのサブセット、及び／または、アンカー・コンポーネント・キャリアのサブセットを含むことができる。ｅＮＢ６０２は、コンポーネント・キャリアのセット６１８及びサブセットを構成することができる無線リソース制御（ＲＲＣ）モジュール６０６を含むことができる。１つの例において、ＲＲＣモジュール６０６は、コンポーネント・キャリアの様々なセット及びサブセットを確立するために、ＲＲＣシグナリングによってＵＥ６０４のＲＲＣモジュール６１２と通信することができる。
【００６６】
ｅＮＢ６０２は、アップリンク及び／またはダウンリンク・リソースをＵＥ６０４に割り当てることができるスケジューラ６０８を含む。スケジューラ６０８によるスケジューリング決定に基づいて、物理レイヤ・モジュール５１２に含まれる制御情報モジュール６１０は、制御情報を生成することができる。この制御情報は、アンカー・キャリアのサブセットから少なくとも１つのアンカー・キャリア上で物理レイヤ・モジュール５１２によって送信されることができる。一態様においては、ＵＥ６０４は、アンカー・キャリアのサブセットからの１または複数のアンカー・キャリア上でカバレージを失い得る（例えば、チャネル品質のロス）。したがって、ＵＥ６０４は、ｅＮＢ６０２によって送信される制御情報を潜在的に受信することができない。ＵＥ６０４が制御情報を受信しないとき、物理レイヤ・モジュール５１２は、ＵＥ６０４が制御情報を得るまで、第２のアンカー・キャリア上で制御情報を再送信することができる。別の例において、その異なるアンカー・キャリアは、スケジューリング要求のような制御シグナリングの中でＵＥ６０４によって指定されたキャリアであることできる。
【００６７】
ＵＥ６０４は、キャリアのセット６１８の各キャリア上の制御チャネル品質をモニタするキャリア・モニタ・モジュール６１４を含むことができる。キャリア・モニタ・モジュール６１４によってなされる測定は、制御情報モジュール６１６によって生成されたレイヤ２シグナリング（例えば、アップリンク制御情報）の中に、キャリア品質情報として組込まれることができる。１つの例において、制御情報モジュール６１６は、スケジューリング要求の中にキャリア品質情報を組込むことができる。例えば、制御情報モジュール６１６は、信頼できるチャネル品質を有するアンカー・キャリアに関連したキャリア識別子を、スケジューリング要求の中に含むことができる。別の例によると、スケジューリング要求は、いずれのアンカー・キャリアが信頼できるチャネル品質を有するか、及びいずれのアンカー・キャリアがチャネル品質のロスを有するかを表示するビットマップを含むことができる。制御情報モジュール６１６は、ｅＮＢ６０２へ周期的に送信されるＣＱＩレポートとしてキャリア品質情報をさらに組込むことができる。
【００６８】
別の態様において、キャリア・モニタ・モジュール６１２は、図５に関して先に記載されたデータ・フローにしたがってｅＮＢ６０２へ送信されるＩＰパケットとしてキャリア品質情報を生成することができる。ＩＰパケットを送信するために、ＵＥ６０４は、スケジューリング要求によってコンポーネント・キャリア上のリソースを要求する。このスケジューリング要求は、制御情報がｅＮＢ６０２によって送信されるべき好ましいコンポーネント・キャリアの識別子を含むことができる。別の例では、このスケジューリング要求は、暗黙的なマッピングが使用されるべきであることをｅＮＢ６０２に表示するフラグを含むことができる。その暗黙的なマッピングは、ダウンリンク制御情報が送信されるアンカー・キャリアのアンデンティティへ、スケジューリング要求が送信されるアップリンク・キャリアのアンデンティティをリンクする。したがって、ＵＥ６０４は、信頼できるチャネル品質を経験したダウンリンク・コンポーネント・キャリアにリンクされたアップリンク・キャリア上でスケジューリング要求を送信することができる。
【００６９】
図７−１０を参照すると、マルチ・キャリア構成におけるコンポーネント・キャリアのチャネル品質のロスの表示を容易にすることに関係した方法が記載されている。これら方法は、上述のシステム１００、３００、４００、５００、及び／または６００によってインプリメントされることができる。説明の簡明化のために、方法は一連の動作として図示され、記載されるが、いくつかの動作は、１または複数の実施形態によると、ここに図示され、説明される他の動作とは異なった順序で、及び／または同時に行なわれることができるので、それら方法は動作の順序によって制限されないことが理解され、認識される。例えば、当業者は、その代りに方法が状態ダイヤグラムのような一連の相互関係のある状態またはイベントとして表わされることができることを理解し、認識する。さらに、１または複数の実施形態によるある方法をインプリメントするために、示されたすべての動作が必要とされるわけではない。
【００７０】
図７を参照すると、マルチ・キャリア構成において無線リンクの不具合を決定する方法７００が示されている。方法７００は、例えば、２以上のアンカー・キャリアをモニタするように構成されたモバイル・デバイスによって使用されることができる。参照数字７０２において、複数のアンカー・コンポーネント・キャリア上のチャネル品質のロスが検出されることができる。チャネル品質のロスは、モニタされるチャネル品質が所定の閾値より低いときに検出されることができる。この所定の閾値は、ネットワーク設定(network-configured)パラメータ、オペレータ供給値、及び／または、経験されたチャネル条件に基づいて、時間にわたって、モバイル・デバイス及び／または基地局により導き出された値であることができる。参照数字７０４において、無線リンクの不具合の回復手続が開始される。一例において、この無線リンクの不具合の回復は、接続再確立手続、ランダム・アクセスの試み等を含むことができる。
【００７１】
次に図８を参照すると、種々な態様による、コンポーネント・キャリアの不具合に関して基地局へ通知することを容易にする方法８００が示されている。方法８００は、例えば、複数のアンカー・キャリアを使用するように構成されたＵＥによって使用されることができる。各コンポーネント・キャリア上のチャネル品質をそれぞれ決定するために複数のコンポーネント・キャリアがモニタされる参照数字８０２において、方法８００が開始されることができる。一態様において、その複数のコンポーネント・キャリアは、構成された非アンカー・キャリア及びアンカー・コンポーネント・キャリアに関係した制御チャネル情報を伝達するアンカー・コンポーネント・キャリアを含む。その複数のコンポーネント・キャリアは、ＳＮＲ、干渉レベル等を決定するためにモニタされることができる。参照数字８０４において、キャリア品質情報は、生成されることができる。キャリア品質情報は、複数のコンポーネント・キャリアに対する品質メトリクスを含むことができる。さらに、キャリア品質情報は、チャネル品質のロスを経験したコンポーネント・キャリアと信頼できるチャネル条件を有するコンポーネント・キャリアとを識別することができる。参照数字８０６で、キャリア品質情報は、制御シグナリングに組込まれる。例えば、キャリア品質情報は、アップリンク制御情報、及び、とくに、スケジューリング要求及び／またはＣＱＩレポートの中に含まれることができる。
【００７２】
１つの態様では、キャリア品質情報から決定される、信頼できるチャネル条件を備えたコンポーネント・キャリアに関連したキャリアＩＤのリストはスケジューリング要求中に含まれることができる。別の態様では、スケジューリング要求はビットマップを含むことができ、ここで各ビット・ロケーションは特定のコンポーネント・キャリアに関連し、そのアソシエイト・コンポーネント・キャリアが信頼できるチャネル品質を保存するか否かを表示する。別の例においては、そのキャリア品質情報はＣＱＩレポートに組み込まれることができる。
【００７３】
図９は、種々の態様による制御情報の受信を確実にするためにコンポーネント・キャリアを循環する方法９００を示す。方法９００は、例えば、複数のコンポーネント・キャリアによってＵＥと通信する基地局によって使用されることができる。参照数字９０２において、スケジューリング要求が受信されることができる。このスケジューリング要求は、キャリア品質情報のようなより高いレイヤ・シグナリングを送信せよとのリソースの要求を含むことができる。別の例において、そのスケジューリング要求は、ユーザ・データ送信に関連付けられることができる。参照数字９０４では、ダウンリンク制御情報の送信が複数のアンカー・キャリアからの第１のアンカー・キャリア上で試みられる。ダウンリンク制御情報は、より高いレイヤ・シグナリング及び／またはユーザ・データのために使用されるスケジューリング割当を含むことができる。参照数字９０６において、ダウンリンク制御情報の送信が成功するか否かに関する決定がなされる。イエスの場合、方法９００は終了する。ノーの場合、方法９００は、異なるアンカー・キャリアが複数のアンカー・キャリアから選択される参照数字９０８に移る。参照数字９１０において、その新しく選択されたアンカー・キャリア上でダウンリンク制御情報の送信が試みられる。その送信が成功するか否かを決定するために、方法９００は、参照数字９０６へ戻る。送信が成功するまで、異なるアンカー・キャリアは選択され、使用されることができる。
【００７４】
次に図１０を参照すると、種々の態様による、スケジューリング要求に基づいたアンカー・キャリアの選択を容易にする方法１０００が示されている。この方法１０００は、例えば、複数のコンポーネント・キャリアによってＵＥと通信する基地局により使用されることができる。参照数字１００２において、スケジューリング要求は、モバイル・デバイスから受信される。参照数字１００４において、アップリンク・キャリアに関連したアンデンティティが決定され、ここで、そのアップリンク・キャリアは、スケジューリング要求が伝達されるコンポーネント・キャリアである。参照数字１００６において、その決定されたアップリンク・キャリアのアンデンティティと関連付けられるか、あるいはリンクされるアンカー・キャリアが識別される。参照数字１００８において、制御情報はその識別されたアンカー・キャリア上で送信される。
【００７５】
本明細書に記載された１または複数の態様によると、制御情報を送信するためにコンポーネント・キャリアを選択すること、１または複数のコンポーネント・キャリアに関してチャネル品質のロスを識別すること等に関する推定がなされ得ることが認識されるであろう。本明細書において使用されるように、「推定する」あるいは「推定」という用語は、一般に、イベント及び／またはデータを介して捕捉されるような観察結果の１つのセットから、システムの状態、環境、及び／、またはユーザについて推理する(reasoning)、あるいは推定するプロセスを指す。推定は、例えば、特定の文脈またはアクションを識別するために使用される、あるいは状態全体にわたる確率分布を生成することができる。推定は、確率的、すなわち、イベント及びデータの考慮(consideration)に基づいて興味のある状態全体にわたる確率分布を計算することであることができる。推定はまた、１つのセットのイベント及び／またはデータからより高いレベルのイベントを構成するために使用される技術を指すことができる。イベントが時間的に近接して互いに相関付けられるか否かにかかわらず、あるいは、イベント及びはデータが１つのイベント及びデータ・ソースからのものか、あるいはいくつかのイベント及びデータ・ソースからのものかにかかわらず、このような推定は、観察されたイベントデータ及び／または格納されたイベントデータの１つのセットからの新しいイベントあるいはアクションの構成をもたらす。
【００７６】
次に図１１を参照すると、１または複数のコンポーネント・キャリアのチャネル品質のロスの無線通信ネットワークに通知することを容易にする装置１１００が示されている。装置１１００は、プロセッサ、ソフトウェア、あるいはその組合せ（例えば、ファームウェア）によってインプリメントされる機能を表わす機能ブロックであることができる機能ブロックを含むものとして表わされることが認識される。装置１１００は、ユーザ・デバイス（例えば、ＵＥ１２０）及び／または他の適切なネットワーク・エンティティによってインプリメントされることができ、チャネル品質のロスを経験したコンポーネント・キャリアを識別するためのモジュール１１０２、そのコンポーネント・キャリア上のそのチャネル品質のロスについて基地局に通知するためのモジュール１１０４、そのチャネル品質のロスに関するレポートを生成するためのオプションのモジュール１１０６、そのレポートをアップリンク制御情報に組み込むためのオプションのモジュール１１０８、及びそのレポートを基地局へ送信するためのオプションのモジュール１１１０を含むことができる。
【００７７】
図１２を参照すると、マルチ・キャリア構成における１または複数のコンポーネント・キャリア上のチャネル品質のロスからの回復を容易にする装置１２００が示されている。装置１２００は、プロセッサ、ソフトウェア、あるいはその組合せ（例えば、ファームウェア）によってインプリメントされる機能を表わす機能ブロックであることができる機能ブロックを含むものとして表わされることが認識される。装置１２００は、基地局（例えば、ｅＮＢ１１０）及び／または任意の他の適切なネットワーク・エンティティによってインプリメントされることができ、モバイル・デバイスからスケジューリング要求を受信するためのモジュール１２０２、第１のコンポーネント・キャリア上でそのモバイル・デバイスへ制御情報を送信するためのモジュール１２０４、この制御情報がその、モバイル・デバイスによって受信されるか否かを検出するためのモジュール１２０６、第２のコンポーネント・キャリア上でその制御情報を再送信するためのモジュール１２０８を含むことができる。さらに、装置１２００は、スケジューリング要求を評価するためのオプションのモジュール１２１０、及び構成されたマッピングにしたがって第１のコンポーネント・キャリアを選択するためのオプションのモジュール１２１２を含むことができる。
【００７８】
図１３は、ここに記述された機能性の種々の態様をインプリメントするために使用されることができる別のシステム１３００のブロック図である。１つの例において、システム１３００は、モバイル・デバイス１３０２を含む。示されるように、モバイル・デバイス１３０２は、１または複数のアンテナ１３０８によって１または複数の基地局１３０４へ送信し、１または複数の基地局１３０４から１または複数の信号を受信することができる。さらに、モバイル・デバイス１３０２は、１または複数のアンテナ１３０８から情報を受信する受信機１３１０を備えることができる。１つの例において、受信機１３１０は、受信された情報を復調する復調器（Ｄｅｍｏｄ）１３１２と効果的に関連付けられることができる。復調されたシンボルは、その後、プロセッサ１３１４によって分析されることができる。プロセッサ１３１４は、メモリ１３１６に結合されることができ、それはモバイル・デバイス１３０２に関係したプログラム・コード及び／またはデータを格納することができる。モバイル・デバイス１３０２はまた、１または複数のアンテナ１３０８によって送信機１３２０による送信のために信号を多重化することができる変調器１３１８を含むことができる。
【００７９】
図１４は、ここに記載された機能性の種々の態様をインプリメントするために使用されることができるシステム１４００のブロック図である。１つの例において、システム１４００は、基地局または基地局の１４０２を含む。示されるように、基地局１４０２は、１または複数の受信（Ｒｘ）アンテナ１４０６によって１または複数のＵＥ１４０４から１または複数の信号を受信し、１または複数の送信（Ｔｘ）アンテナ１４０８によって１または複数のＵＥ１４０４へ送信することができる。さらに、基地局１４０２は、１または複数の受信アンテナ１４０６から情報を受信する受信機１４１０を備えることができる。１つの例において、受信機１４１０は、受信された情報を復調する復調器（Ｄｅｍｏｄ）１４１２と効果的に関連付けられることができる復調されたシンボルはその後、プロセッサ１４１４によって分析されることができる。プロセッサ１４１４は、メモリ１４１６に結合されることができ、それはコード・クラスタに関係した情報、アクセス端末割当、それに関連したルックアップ・テーブル、ユニーク・スクランブリング・シーケンス(unique scrambling sequences)、及び／または他の適切なタイプの情報を格納することができる。基地局１４０２はまた、１または複数の送信アンテナ１４０８によって送信機１４２０による送信のために１または複数の信号を多重化することができる変調器１４１８を含むことができる。
【００８０】
図１５を参照すると、ここに示された様々な実施形態による無線通信システム１５００が示されている。システム１５００は、複数のアンテナ・グループを含むことができる基地局（例えば、アクセス・ポイント）１５０２を備える。例えば、１つのアンテナ・グループはアンテナ１５０４及び１５０６を含むことができ、別のグループはアンテナ１５０８及び１５１０を備えることができ、追加のグループはアンテナ１５１２及び１５１４を含むことができる。各アンテナ・グループに関して、２つのアンテナが示されているが、しかしながら、もっと多くの、あるいはもっと少ないアンテナが各グループに関して使用されることができる。基地局１５０２は、さらに、送信機チェーン及び受信機チェーンを含むことができ、それらのそれぞれは、当業者により認識されるように、信号送信及び受信に関連した複数のコンポーネント（例えば、プロセッサ、変調器、マルチプレクサ、復調器、デマルチプレクサ、アンテナ等）を備えることができる。
【００８１】
基地局１５０２は、ＵＥ１５１６及びＵＥ１５２２のような１または複数のＵＥと通信することができるが、しかしながら、基地局１５０２は、ＵＥ１５１６及び１５２２に類似した実質的に任意の数のＵＥと通信することができることが認識される。ＵＥ１５１６及び１５２２は、例えば、セルラ・フォン、スマートフォン、ラップトップ、ハンドヘルド通信デバイス、ハンドヘルド計算デバイス、衛星ラジオ、全地球測位システム、ＰＤＡ、及び／または、無線通信システム１５００によって通信するための任意の他の適切なデバイスであることができる。示されているように、ＵＥ１５１６は、アンテナ１５１２及び１５１４と通信しており、ここでアンテナ１５１２及び１５１４は、ダウンリンク１５１８上でＵＥ１５１６に情報を送信し、アップリンク１５２０上でＵＥ１５１６からの情報を受信する。さらに、ＵＥ１５２２は、アンテナ１５０４及び１５０６と通信しており、ここでアンテナ１５０４及び１５０６は、ダウンリンク１５２４上でＵＥ１５２２に情報を送信し、アップリンク１５２６上でＵＥ１５２２から情報を受信する。周波数分割二重通信（ＦＤＤ）システムでは、例えば、ダウンリンク１５１８は、アップリンク１５２０によって使用されるものとは異なる周波数帯域を使用することができ、ダウンリンク１５２４は、アップリンク１５２６によって使用されるものとは異なる周波数帯域を使用することができる。さらに、時分割二重通信（ＴＤＤ）システムでは、ダウンリンク１４１８及びアップリンク１５２０は共通の周波数帯域を使用することができ、ダウンリンク１５２４及びアップリンク１５２６は、共通の周波数帯域を使用することができる。
【００８２】
アンテナの各グループ及び／または、それらが通信するように指定されたエリアは、基地局１５０２のセクタと呼ばれることができる。例えば、アンテナ・グループは、基地局１５０２によってカバーされたエリアのセクタ中のＵＥに通信するように指定されることができる。ダウンリンク１５１８及び１５２４上での通信において、基地局１５０２の送信アンテナはＵＥ１５１６及び１５２２のためのダウンリンク１５１８及び１５２４の信号対雑音比を改善するためにビームフォーミングを使用することができる。また、基地局１５０２は、関連したカバレージじゅうにランダムに散在するＵＥ１５１６及び１５２２に送信するためにビームフォーミングを使用するが、近隣のセルの中のＵＥは、すべてのＵＥへ単一のアンテナを通して送信する基地局と比較して、より少ない干渉を受けることができる。さらに、ＵＥ１５１６及び１５２２は、ピア・ツー・ピアまたはアドホック技術（示されていない）を使用して、互いと直接通信することができる。
【００８３】
一例によると、システム１５００は、多入力他出力（ＭＩＭＯ）通信システムであることができる。さらに、システム１５００は、実質的に任意のタイプの二重通信技術を使用して、ＦＤＤ、ＦＤＭ、ＴＤＤ、ＴＤＭ、ＣＤＭ等のような通信チャネル（例えば、ダウンリンク、アップリンク、...）を分割することができる。さらに、通信チャネルは、それらチャネル上で複数のデバイスあるいはＵＥとの同時の通信を可能にするように直交化されることができる。１つの例において、ＯＦＤＭはこの点に関して使用されることができる。したがって、チャネルは、ある時間期間にわたって周波数の部分に分割されることができる。さらに、フレームは、時間期間の集まりにわたる周波数の部分として定義されることができる。したがって、例えば、ある１つのフレームは、いくつかのＯＦＤＭシンボルを備えることができる。基地局１５０２は、チャネル上でＵＥ１５１６及び１５２２に通信することができ、それは様々なタイプのデータのために作成されることができる。例えば、チャネルは、様々なタイプの一般的な通信データ、制御データ（例えば、他のチャネルに関する品質情報チャネル上で受信されたデータのアクノレッジメント・インジケータ、干渉情報、基準信号等）及び／または、同種のものを通信するために作成されることができる。
【００８４】
無線多元接続通信システムは、複数の無線アクセス端末の通信を同時にサポートすることができる。上述したように、各端末は順方向及び逆方向リンク上の送信によって１または複数の基地局と通信することができる。前方向リンク（あるいは、ダウンリンク）は、基地局から端末への通信リンクを指し、また、逆方向リンク（あるいはアップリンク）は端末から基地局への通信リンクを指す。この通信リンクは、単一入力単一出力システム、多入力他出力（「ＭＩＭＯ」）システム、あるいは他のあるタイプのシステムによって確立されることができる。
【００８５】
ＭＩＭＯシステムは、データ伝送のために複数（ＮＴ）の送信アンテナと複数（ＮＲ）の受信アンテナを使用する。ＮＴの送信アンテナとＮＲの受信アンテナによって形成されたＭＩＭＯチャネルは、空間チャネルとも呼ばれるＮＳの独立したチャネルに分解されることができ、ここで、ＮＳ≦ｍｉｎ｛ＮＴ，ＮＲ｝である。ＮＳの独立したチャネルの各々は１つの次元に対応する。複数の送信アンテナ及び受信アンテナにより生成された追加の次元が使用される場合、ＭＩＭＯシステムは、改善された性能（例えば、より高いスループット及び／または、より高い信頼性）を提供することができる。
【００８６】
ＭＩＭＯシステムは時分割二重通信（「ＴＤＤ」）及び周波数時分割二重通信（「ＦＤＤ」）をサポートすることができる。ＴＤＤシステムでは、相反原理(reciprocity principle)が逆方向リンク・チャネルからの順方向リンク・チャネルの推定を可能にするように、順方向・逆方向リンク送信は、同じ周波数領域上にある。これによって、複数のアンテナがアクセス・ポイントで利用可能であるとき、そのアクセス・ポイントが順方向リンク上の送信ビームフォーミング利得を抽出することが可能となる。
【００８７】
図１６は、一例の無線通信システム１６００を示す。無線通信システム１６００は、簡潔さの目的のために１つの基地局１６１０と１つのアクセス端末１６５０を示す。しかしながら、システム１６００は、１つより多くの基地局、及び／または、アクセス端末を含むことができ、ここにおいて、追加の基地局及び／またはアクセス端末は、下記に説明される一例の基地局１６１０及びアクセス端末１６５０に本質的に類似していることができ、あるいは異なることができることが認識される。さらに、基地局１６１０及び／またはアクセス端末１６５０は、その間における無線通信を容易にするために、ここに説明されたシステム（図１、３、４、５、６及び１１−１２）及び／または方法（図７−１０）を使用することができることが認識される。
【００８８】
基地局１６１０において、複数のデータ・ストリームのトラヒック・データは、データ・ソース１６１２から送信（ＴＸ）データ・プロセッサ１６１４に提供される。一例によると、各データ・ストリームはそれぞれのアンテナを通して送信されることができる。ＴＸデータ・プロセッサ１６１４は、符号化されたデータを提供するために、そのデータ・ストリームのために選択された特定のコーディング・スキームに基づいて、トラヒック・データ・ストリームをフォーマットし、符号化し、インタリーブする。
【００８９】
各データ・ストリームの符号化されたデータは、直交周波数分割多重化（ＯＦＤＭ）技術を使用して、パイロット・データを用いて多重化されることができる。さらに、あるいはその代わりに、パイロットシンボルは、周波数分割多重化（ＦＤＭ）、時分割多重化（ＴＤＭ）、あるいは符号分割多重化（ＣＤＭ）されることができる。パイロット・データは、典型的に、既知のやり方で処理された既知のデータ・パターンであり、チャネル応答を推定するためにアクセス端末１６５０で使用されることができる。各データ・ストリームの多重化されたパイロット及び符号化されたデータは、変調シンボルを提供するために、そのデータ・ストリームのために選択された特定の変調スキーム（例えば、２相位相変調（ＢＰＳＫ）、４相位相変調（ＱＰＳＫ）、Ｍ相位相変調Ｍ−ＰＳＫ、Ｍ値直交振幅変調（Ｍ−ＱＡＭ）等）に基づいて変調される（例えば、シンボル・マップされる）ことができる。各データ・ストリームのデータ・レート、符号化、及び変調は、プロセッサ１６３０によって行なわれ、あるいは提供される命令によって決定されることができる。
【００９０】
データ・ストリームの変調シンボルはＴＸ  ＭＩＭＯプロセッサ１６２０に提供されることができ、それは変調シンボルをさらに処理する（例えば、ＯＦＤＭのために）ことができる。ＴＸ  ＭＩＭＯプロセッサ１６２０は、その後、ＮＴ個の送信機（ＴＭＴＲ）１６２２ａ乃至１６２２ｔにＮＴ個の変調シンボル・ストリームを提供する。様々な実施形態においては、ＴＸ  ＭＩＭＯプロセッサ１６２０は、データ・ストリームのシンボルに、及びそのシンボルが送信されているアンテナに、ビームフォーミング重みを適用する。
【００９１】
各送信機１６２２は、１または複数のアナログ信号を提供するために各シンボル・ストリームを受信し、処理し、ＭＩＭＯチャネル上での送信に適した変調された信号を提供するためにそれらアナログ信号をさらに調整する（例えば、増幅し、フィルタに掛け、アップコンバートする）。さらに、送信機１６２２ａ乃至１６２２ｔからのＮＴ個の変調された信号は、それぞれ、ＮＴ個ＮTのアンテナ１６２４ａ乃至１６２４ｔから送信される。
【００９２】
アクセス端末１６５０では、送信された変調された信号はＮＲ個のアンテナ１６５２ａ乃至１６５２ｒによって受信され、各アンテナ１６５２からの受信された信号はそれぞれの受信機（ＲＣＶＲ）１６５４ａ乃至１６５４ｒに提供される。各受信機１６５４は、それぞれの信号を調整し）例えば、フィルタに掛け、増幅し、ダウンコンバートし）、サンプルを提供するためにその調整された信号をデジタル化し、対応する「受信された」シンボル・ストリームを提供するようにそれらサンプルをさらに処理する。
【００９３】
ＲＸデータ・プロセッサ１６６０は、ＮＴの「検出された」シンボル・ストリームを提供するために特定の受信機処理技術に基づいて、ＮＲの受信機１６５４からの受信されたシンボル・ストリームを受信して処理することができる。ＲＸデータ・プロセッサ１６６０は、そのデータ・ストリームのトラヒック・データを復元するために各検出されたシンボル・ストリームを復調し、デインタリーブし、復号することができる。ＲＸデータ・プロセッサ１６６０による処理は、基地局１６１０でのＴＸ  ＭＩＭＯプロセッサ１６２０及びＴＸデータ・プロセッサ１６１４によって行なわれるものに相補的である。
【００９４】
プロセッサ１６７０は、上述されたように使用すべき利用可能な技術を周期的に決定することができる。さらに、プロセッサ１６７０は、マトリックス・インデックス部分及びランク値部分を備える逆方向リンク・メッセージを公式化する(formulate)ことができる。
【００９５】
逆方向リンク・メッセージは、受信されたデータ・ストリーム及び／または通信リンクに関する様々なタイプの情報を備えることができる。逆方向リンク・メッセージは、データ・ソース１６３６からの複数のデータ・ストリームのトラヒック・データを受信するＴＸデータ・プロセッサ１６３８によって処理され、変調器１６８０によって変調され、送信機１６５４ａ乃至１６５４ｒによって調整され、基地局１６１０へ送信し返されることができる。
【００９６】
基地局１６１０においては、アクセス端末１６５０からの調整された信号は、アクセス端末１６５０によって送信された逆方向リンク・メッセージを抽出するために、アンテナ１６２４によって受信され、受信機１６２２によって調整され、復調器１６４０によって復調され、ＲＸデータ・プロセッサ１６４２によって処理される。さらに、プロセッサ１６３０は、ビームフォーミング重みを決定するために使用すべきプレコーディング・マトリックスを決定するために、その抽出されたメッセージを処理することができる。
【００９７】
プロセッサ１６３０及び１６７０は、それぞれ、基地局１６１０及びアクセス端末１６５０における動作を指示する（例えば、制御し、調整し(coordinate)、管理する等）ことができる。各プロセッサ１６３０及び１６７０は、プログラム・コード及びデータを格納するメモリ１６３２及び１６７２と関連付けられることができる。プロセッサ１６３０及び１６７０はまた、それぞれ、アップリンク及びダウンリンクの周波数及びインパルス応答推定を得るために計算を行なうことができる。
【００９８】
一態様において、論理チャネルは制御チャネル及びトラヒック・チャネルに分類される。論理制御チャネルは、ブロードキャスト制御チャネル（ＢＣＣＨ）を含むことができ、それはシステム制御情報をブロードキャストするためのＤＬチャネルである。さらに、論理制御チャネルはページング制御チャネル（ＰＣＣＨ）を含むことができ、それはページング情報を転送するＤＬチャネルである。さらに、論理制御チャネルはマルチキャスト制御チャネル（ＭＣＣＨ）を備えることができ、それは１または複数のＭＴＣＨに関するマルチメディア・ブロードキャスト及びマルチキャスト・サービス（ＭＢＭＳ）スケジューリング及び制御情報を送信するために使用されるポイント・ツー・マルチポイントＤＬチャネルである。一般に、無線リソース制御（ＲＲＣ）接続を確立した後、このチャネルはＭＢＭＳ（例えば、古いＭＣＣＨ＋ＭＳＣＨ）を受信するＵＥによって使用されるに過ぎない。さらに、論理制御チャネルは専用制御チャネル（ＤＣＣＨ）を含むことができ、それは専用制御情報を送信し、ＲＲＣ接続を有するＵＥによって使用されることができるポイント・ツー・ポイント双方向チャネルである。一態様においては、論理トラヒック・チャネルは専用トラヒック・チャネル（ＤＴＣＨ）を備えることができ、それはユーザ情報の転送用の１つのＵＥに専用のポイント・ツー・ポイント双方向チャネルである。さらに、論理トラヒック・チャネルは、トラヒック・データを送信するためにポイント・ツー・マルチポイントＤＬチャネルのためのマルチキャスト・トラヒック・チャネル（ＭＴＣＨ）を含むことができる。
【００９９】
一態様では、トランスポート・チャネルはＤＬとＵＬに分類される。ＤＬトランスポート・チャネルは、ブロードキャスト・チャネル（ＢＣＨ）、ダウンリンク共用データ・チャネル（ＤＬ−ＳＤＣＨ）及びページング・チャネル（ＰＣＨ）を備える。ＰＣＨは、すべてのセル上に放送されること、及び他の制御／トラヒック・チャネルに使用されることのできる物理レイヤ（ＰＨＹ）リソースにマップされることによって、ＵＥの電力節約をサポートすることができる（例えば、不連続の受信（ＤＲＸ）サイクルがネットワークによってそのＵＥへ表示されることができる）。ＵＬトランスポート・チャネルは、ランダム・アクセス・チャネル（ＲＡＣＨ）、要求チャネル（ＲＥＱＣＨ）、アップリンク共用データ・チャネル（ＵＬ−ＳＤＣＨ）及び複数のＰＨＹチャネルを備える。
【０１００】
ＰＨＹチャネルは、ＤＬチャネルとＵＬチャネルの１つのセットを含むことができる。例えば、ＤＬ  ＰＨＹチャネルは、共通パイロット・チャネル（ＣＰＩＣＨ）、同期チャネル（ＳＣＨ）、共通制御チャネル（ＣＣＣＨ）、共用ＤＬ制御チャネル（ＳＤＣＣＨ）、マルチキャスト制御チャネル（ＭＣＣＨ）、共用ＵＬ割当チャネル（ＳＵＡＣＨ）、アクノレッジメント・チャネル（ＡＣＫＣＨ）、ＤＬ物理共用データ・チャネル（ＤＬ−ＰＳＤＣＨ）、ＵＬ電力制御チャネル（ＵＰＣＣＨ）、ページング・インジケータ・チャネル（ＰＩＣＨ）、及び／または、ロード・インジケータ・チャネル（ＬＩＣＨ）を含むことができる。さらに例示すると、ＵＬ  ＰＨＹチャネルは、物理ランダム・アクセス・チャネル（ＰＲＡＣＨ）、チャネル品質インジケータ・チャネル（ＣＱＩＣＨ）、アクノレッジメント・チャネル（ＡＣＫＣＨ）、アンテナ・サブセット・インジケータ・チャネル（ＡＳＩＣＨ）、共用要求チャネル（ＳＲＥＱＣＨ）、ＵＬ物理共用データ・チャネル（ＵＬ−ＰＳＤＣＨ）、及び／または、広帯域パイロット・チャネル（ＢＰＩＣＨ）を含むことができる。
【０１０１】
ここに開示された実施形態に関して記述された様々な実例となる論理、論理ブロック、モジュール、及び回路は、汎用プロセッサ、デジタル信号プロセサ（ＤＳＰ）、特定用途向け集積回路（ＡＳＩＣ）、フィールド・プログラム・プログラマブル・ゲート・アレイ（ＦＰＧＡ）、あるいは他のプログラム可能な論理デバイス、ディスクリート・ゲートまたはトランジスタ論理、ディスクリート・ハードウェア・コンポーネント、あるいは任意のその組合せを用いてインプリメントされ、あるいは行なわれることができる。汎用プロセッサはマイクロプロセッサであることができるが、しかし、別の実施形態においては、そのプロセッサは任意の従来型プロセッサ、コントローラ、マイクロコントローラ、あるいはステート・マシンであることができる。プロセッサはまた、例えば、ＤＳＰコアに関連した１または複数のマイクロプロセッサ、複数のマイクロプロセッサ、１つのマイクロプロセッサと１つのＤＳＰの組合せ等の、複数の計算デバイスの組合せ、あるいは任意の他のこのような構成としてインプリメントされ得る。さらに、少なくとも１つのプロセッサは、上述されたステップ及び／または動作のうちの１または複数のものを行なうように動作可能な１または複数のモジュールを備えることができる。
【０１０２】
さらに、ここに開示された態様に関連して記載された１つの方法またはアルゴリズムのステップ及び／または動作は、ハードウェアにおいて、プロセッサによって実行されるソフトウェア・モジュールにおいて、あるいはそれらの２つの組合せにおいて直接具体化されることができる。ソフトウェア・モジュールは、ＲＡＭメモリ、フラッシュ・メモリ、ＲＯＭメモリ、ＥＰＲＯＭメモリ、ＥＥＰＲＯＭメモリ、複数のレジスタ、ハードディスク、リムーバブル・ディスク、ＣＤ−ＲＯＭ、あるいは技術的に既知の任意の他の形態の記憶媒体に存在し得る。典型的な記憶媒体は、プロセッサがその記憶媒体から情報を読取り、及びその記憶媒体に情報を書込むことができるように、そのプロセッサに結合されることができる。別の実施形態においては、その記憶媒体はそのプロセッサに内蔵されることができる。さらに、いくつかの態様においては、このプロセッサと記憶媒体はＡＳＩＣ中に存在し得る。さらに、このＡＳＩＣはユーザ端末中に存在し得る。別の実施形態では、プロセッサと記憶媒体は、ユーザ端末中のディスクリートなコンポーネントとして存在し得る。さらに、いくつかの態様において、１つの方法またはアルゴリズムのステップ及び／または動作は、コンピュータ可読媒体及び／または機械可読媒体上の命令及び／またはコードのセットあるいは１または任意の組合せとして存在することができ、それはコンピュータ・プログラム製品に組み込まれることができる。
【０１０３】
実施形態がソフトウェア、ファームウェア、ミドルウェア、あるいはマイクロコード、プログラム・コードまたはコード・セグメントでインプリメントされるとき、それらは記憶コンポーネントのような、機械可読媒体中に格納されることができる。コード・セグメントは手続、関数、サブプログラム、プログラム、ルーチン、サブルーチン、モジュール、ソフトウェア・パッケージ、クラス、あるいは命令、データ構造、あるいはプログラム文の任意の組合せを表わすことができる。コード・セグメントは、情報、データ、引き数(argument)、パラメータ、あるいは記憶内容を受信すること、及び／または渡すこと(passing)によって、別のコード・セグメントあるいはハードウェア回路に結合されることができる。情報、引き数、パラメータ、データ等は、メモリ共有、メッセージ渡し(passing)、トークン渡し、ネットワーク送信等を含む任意の適切な手段を使用して、渡され、転送され、あるいは送信されることができる。
【０１０４】
ソフトウェア・インプリメンテーションに関して、ここに記述された技術は、ここに記述された機能を行なうモジュール（例えば、手続、関数等）によりインプリメントされることができる。ソフトウェア・コードは記憶装置に格納され、プロセッサによって実行されることができる。その記憶装置はプロセッサの内部あるいはプロセッサの外部にインプリメントされることができ、その場合、技術的に知られている様々な手段によってプロセッサに通信するように結合されることができる。
【０１０５】
上述されたものは、１または複数の実施形態の例を含む。当然ながら、前述した実施形態を説明するために、コンポーネントまたは方法のあらゆる各々の考え得る組合せを説明することは不可能であるが、しかし、当業者は、様々な実施形態の多くのさらなる組合せ及び置換が可能であることを認識することができる。したがって、記述された実施形態は、添付の請求項の技術的範囲内にある変更、修正及び変化のすべてを包含するように意図される。さらに、「含む(includes)」という用語が詳細な説明または請求項のいずれにおいて使用される限り、このような用語は、「備える(comprising)」と同様に包括的である (inclusive)よう意図されている。それは、「備える」は、使用されるときに、ある請求項中では移行の(transitional)単語と解釈されるからである。さらに、詳細な説明または請求項のいずれにおいて使用される用語「あるいは(or)」は、「非排他的あるいは(non-exclusive or)」であることを意味する。
以下に、本願出願の当初の特許請求の範囲に記載された発明を付記する。
［Ｃ１］
チャネル品質のロスを経験した少なくとも１つのコンポーネント・キャリアを、複数のコンポーネント・キャリアから識別することと、
前記少なくとも１つのコンポーネント・キャリア上の前記チャネル品質のロスについて基地局に通知することと
を備える方法。
［Ｃ２］
チャネル品質のロスを経験した前記少なくとも１つのコンポーネント・キャリアは、アンカー・キャリアである、
Ｃ１に記載の方法。
［Ｃ３］
前記基地局に通知することは、レイヤ３シグナリングによってキャリア品質情報を送信することをさらに備える、
Ｃ１に記載の方法。
［Ｃ４］
前記基地局へスケジューリング要求を送信することをさらに備え、前記スケジューリング要求は、制御情報を送信するために前記複数のコンポーネント・キャリアからの特定のアンカー・コンポーネント・キャリアを使用するという前記基地局への表示を含む、
Ｃ３に記載の方法。
［Ｃ５］
前記表示は、制御情報の第１の送信のために使用された第１のアンカー・コンポーネント・キャリアとは異なる第２のアンカー・コンポーネント・キャリア上で前記制御情報を再送信するとのフラグを含む、
Ｃ４記載の方法。
［Ｃ６］
前記表示は、アンカー・コンポーネント・キャリアとアップリンク・コンポーネント・キャリアとの間の暗黙のマッピングが使用されるべきであることを示すフラグを含む、Ｃ４に記載の方法。
［Ｃ７］
スケジューリング要求をアップリンク・コンポーネント・キャリア上で前記基地局へ送信することをさらに備え、前記アップリンク・コンポーネント・キャリアのアイデンティティは、前記複数のコンポーネント・キャリアからの使用されるべき特定のアンカー・コンポーネント・キャリアを、前記基地局へ示す、
Ｃ１に記載の方法。
［Ｃ８］
前記基地局に通知することは、
前記チャネル品質のロスに関するレポートを生成することと、
前記レポートをアップリンク制御情報に組み込むことと、
前記レポートを前記基地局へ送信することと
をさらに備える、Ｃ１に記載の方法。
［Ｃ９］
前記レポートは、スケジューリング要求の中に含まれるビットマップを備え、前記ビットマップは、信頼できるチャネル品質を備えた前記複数のコンポーネント・キャリアからのコンポーネント・キャリアを示す、
Ｃ８に記載の方法。
［Ｃ１０］
前記レポートは、コンポーネント・キャリア・アイデンティティのリストを備え、前記コンポーネント・キャリア・アイデンティティのリストの中の各コンポーネント・キャリア・アイデンティティは、信頼できるチャネル品質を維持する、
Ｃ８に記載の方法。
［Ｃ１１］
前記レポートは、チャネル品質インジケータ・レポートを備える、
Ｃ８に記載の方法。
［Ｃ１２］
チャネル品質のロスを経験したコンポーネント・キャリアを、複数のコンポーネント・キャリアから識別し、
前記コンポーネント・キャリア上の前記チャネル品質のロスについて基地局に通知するように構成された少なくとも１つのプロセッサ
を備える、無線通信装置。
［Ｃ１３］
前記コンポーネント・キャリアは、アンカー・キャリアである、
Ｃ１２に記載の無線通信装置。
［Ｃ１４］
前記少なくとも１つのプロセッサは、レイヤ３シグナリングによってキャリア品質情報を送信するようにさらに構成される、
Ｃ１２に記載の無線通信装置。
［Ｃ１５］
前記少なくとも１つのプロセッサは、前記基地局へスケジューリング要求を送信するようにさらに構成され、前記スケジューリング要求は、制御情報を前記無線通信装置へ送信するために前記複数のコンポーネント・キャリアからの特定のアンカー・コンポーネント・キャリアを使用するという前記基地局への表示を含む、
Ｃ１４に記載の無線通信装置。
［Ｃ１６］
前記表示は、制御情報の第１の送信のために使用された第１のアンカー・コンポーネント・キャリアとは異なる第２のアンカー・コンポーネント・キャリア上で前記制御情報を再送信するとのフラグを含む、
Ｃ１５に記載の無線通信装置。
［Ｃ１７］
前記表示は、アンカー・コンポーネント・キャリアとアップリンク・コンポーネント・キャリアとの間の暗黙のマッピングが使用されるべきであることを示すフラグを含む、Ｃ１５記載の無線通信装置。
［Ｃ１８］
前記少なくとも１つのプロセッサは、
前記チャネル品質のロスに関するレポートを生成し、
前記レポートをアップリンク制御情報に組み込み、
前記レポートを前記基地局へ送信する
ようにさらに構成される、Ｃ１２記載の無線通信装置。
［Ｃ１９］
前記レポートは、スケジューリング要求の中に含まれるビットマップを備え、前記ビットマップは、信頼できるチャネル品質を備えた前記複数のコンポーネント・キャリアからのコンポーネント・キャリアを示す、
Ｃ１８記載の無線通信装置。
［Ｃ２０］
前記レポートは、コンポーネント・キャリア・アイデンティティのリストを備える、ここにおいて前記コンポーネント・キャリア・アイデンティティのリストの中の各コンポーネント・キャリア・アイデンティティは信頼できるチャネル品質を維持する、
Ｃ１８に記載の無線通信装置。
［Ｃ２１］
前記レポートは、チャネル品質インジケータ・レポートを備える、
Ｃ１８に記載の無線通信装置。
［Ｃ２２］
チャネル品質のロスを経験したコンポーネント・キャリアを、複数のコンポーネント・キャリアから識別するための手段と、
前記コンポーネント・キャリア上の前記チャネル品質のロスについて基地局に通知するための手段と
を備える、装置。
［Ｃ２３］
レイヤ３シグナリングによってキャリア品質情報を送信するための手段をさらに備える、
Ｃ２２に記載の装置。
［Ｃ２４］
前記基地局へスケジューリング要求を送信するための手段をさらに備える、
Ｃ２３に記載の装置。
［Ｃ２５］
前記スケジューリング要求は、制御情報の第１の送信のために使用された第１のアンカー・コンポーネント・キャリアとは異なる第２のアンカー・コンポーネント・キャリア上で前記制御情報を再送信するという表示を含む、
Ｃ２４に記載の装置。
［Ｃ２６］
前記スケジューリング要求は、アンカー・コンポーネント・キャリアとアップリンク・コンポーネント・キャリアとの間の暗黙のマッピングが使用されるべきであることを示すフラグを含む、
Ｃ２４に記載の装置。
［Ｃ２７］
前記チャネル品質のロスに関するレポートを生成するための手段と、
前記レポートをアップリンク制御情報に組み込むための手段と、
前記レポートを前記基地局へ送信するための手段と
をさらに備えるＣ２２に記載の装置。
［Ｃ２８］
前記レポートは、スケジューリング要求の中に含まれるビットマップを備え、前記ビットマップは、信頼できるチャネル品質を備えた前記複数のコンポーネント・キャリアからのコンポーネント・キャリアを示す、
Ｃ２７に記載の装置。
［Ｃ２９］
前記レポートは、コンポーネント・キャリア・アイデンティティのリストを備える、ここにおいて前記コンポーネント・キャリア・アイデンティティのリストの中の各コンポーネント・キャリア・アイデンティティは信頼できるチャネル品質を維持する、
Ｃ２７に記載の装置。
［Ｃ３０］
前記レポートは、チャネル品質インジケータ・レポートを備える、
Ｃ２７記載の装置。
［Ｃ３１］
チャネル品質のロスを経験したコンポーネント・キャリアを、複数のコンポーネント・キャリアから、少なくとも１つのコンピュータに識別させるためのコードと、
前記コンポーネント・キャリア上の前記チャネル品質のロスについて基地局に、前記少なくとも１つのコンピュータに通知させるためのコードと、
を備えるコンピュータ可読媒体を備える、
コンピュータ・プログラム製品。
［Ｃ３２］
前記コンピュータ可読媒体は、前記少なくとも１つのコンピュータに、前記基地局へスケジューリング要求を送信させるためのコードをさらに備え、前記スケジューリング要求は、制御情報を送信するために前記複数のコンポーネント・キャリアからの特定のアンカー・コンポーネント・キャリアを使用するという前記基地局への表示を含む、
Ｃ３１に記載のコンピュータ・プログラム製品。
［Ｃ３３］
前記表示は、制御情報の第１の送信のために使用された第１のアンカー・コンポーネント・キャリアとは異なる第２のアンカー・コンポーネント・キャリア上で前記制御情報を再送信するとのフラグを含む、
Ｃ３２に記載のコンピュータ・プログラム製品。
［Ｃ３４］
前記表示は、アンカー・コンポーネント・キャリアとアップリンク・コンポーネント・キャリアとの間の暗黙のマッピングが使用されるべきであることを示すフラグを含む、Ｃ３２に記載のコンピュータ・プログラム製品。
［Ｃ３５］
前記コンピュータ可読媒体は、
前記チャネル品質のロスに関するレポートを、少なくとも１つのコンピュータに生成させるためのコードと、
前記少なくとも１つのコンピュータに、前記レポートをアップリンク制御情報に組み込ませるためのコードと、
前記少なくとも１つのコンピュータに、前記レポートを前記基地局へ送信させるためのコードと
をさらに備える、Ｃ３１に記載のコンピュータ・プログラム製品。
［Ｃ３６］
前記レポートは、スケジューリング要求の中に含まれるビットマップを備え、前記ビットマップは、信頼できるチャネル品質を備えた前記複数のコンポーネント・キャリアからのコンポーネント・キャリアを示す、
Ｃ３５に記載のコンピュータ・プログラム製品。
［Ｃ３７］
前記レポートは、コンポーネント・キャリア・アイデンティティのリストを備える、ここにおいて前記コンポーネント・キャリア・アイデンティティのリストの中の各コンポーネント・キャリア・アイデンティティは信頼できるチャネル品質を維持する、
Ｃ３５に記載のコンピュータ・プログラム製品。
［Ｃ３８］
前記レポートは、チャネル品質インジケータ・レポートを備える、
Ｃ３５に記載のコンピュータ・プログラム製品。
［Ｃ３９］
各コンポーネント・キャリアに関連したキャリア品質を決定するために複数のコンポーネント・キャリアを評価する制御チャネル・モニタ・モジュールと、
各コンポーネント・キャリアに関連した前記キャリア品質に基づいてキャリア品質情報を生成する品質情報モジュールと、
基地局への送信の中に前記キャリア品質情報を組み込む物理レイヤ・モジュールと
を備える、装置。
［Ｃ４０］
前記制御チャネル・モニタ・モジュールは、複数のコンポーネント・キャリア中の、チャネル品質のロスを経験したコンポーネント・キャリアを識別するように構成される、Ｃ３９に記載の装置。
［Ｃ４１］
前記制御チャネル・モニタ・モジュールは、前記コンポーネント・キャリアに関連した前記キャリア品質を、所定の閾値と比較するように構成される、
Ｃ４０に記載の装置。
［Ｃ４２］
モバイル・デバイスからスケジューリング要求を受信することと、
第１のコンポーネント・キャリア上で前記モバイル・デバイスに制御情報を送信することと、
前記制御情報が前記モバイル・デバイスによって受信されるか否かを検出することと、
前記制御情報が受信されないとき、第２のコンポーネント・キャリア上で前記モバイル・デバイスへ前記制御情報を再送信することと
を備える方法。
［Ｃ４３］
前記スケジューリング要求を評価することと、
前記スケジューリング要求の中にフラグが含まれるか否かを識別することと、
構成されたマッピングにしたがって前記第１のコンポーネント・キャリアを複数のコンポーネント・キャリアから選択することと
をさらに備える、Ｃ４２に記載の方法。
［Ｃ４４］
前記スケジューリング要求を伝達するために使用されたアップリンク・コンポーネント・キャリアのアイデンティティを決定することと、
前記アップリンク・コンポーネント・キャリアの前記アイデンティティに基づいて前記第１のコンポーネント・キャリアを識別するように前記構成されたマッピングにクエリを行うことと、
をさらに備える、Ｃ４３に記載の方法。
［Ｃ４５］
前記第２のコンポーネント・キャリア上で再送信するとの表示を含む第２のスケジューリング要求を受信することをさらに備える、
Ｃ４２に記載の方法。
［Ｃ４６］
前記モバイル・デバイスによって送信されたキャリア品質情報を得ることと、
前記キャリア品質情報に基づいて前記モバイル・デバイスによってモニタされたコンポーネント・キャリアのセットを構成することと
さらに備える、Ｃ４２に記載の方法。
［Ｃ４７］
前記キャリア品質情報を得るために前記スケジューリング要求を評価することをさらに備える、
Ｃ４６に記載の方法。
［Ｃ４８］
前記キャリア品質情報は、チャネル品質インジケータ・レポートを備える、
Ｃ４６に記載の方法。
［Ｃ４９］
前記キャリア品質情報は、レイヤ３シグナリングによって得られる、
Ｃ４６に記載の方法。
［Ｃ５０］
モバイル・デバイスからスケジューリング要求を受信するための手段と、
第１のコンポーネント・キャリア上で前記モバイル・デバイスに制御情報を送信するための手段と、
前記制御情報が前記モバイル・デバイスによって受信されるか否かを検出するための手段と、
前記制御情報が受信されないとき、第２のコンポーネント・キャリア上で前記モバイル・デバイスへ前記制御情報を再送信するための手段と
を備える装置。
［Ｃ５１］
前記スケジューリング要求を評価するための手段と、
前記スケジューリング要求の中にフラグが含まれるか否かを識別するための手段と、
構成されたマッピングにしたがって前記第１のコンポーネント・キャリアを複数のコンポーネント・キャリアから選択するための手段と、
をさらに備える、Ｃ５０に記載の装置。
［Ｃ５２］
前記スケジューリング要求を伝達するために使用されたアップリンク・コンポーネント・キャリアのアイデンティティを決定するための手段と、
前記アップリンク・コンポーネント・キャリアの前記アイデンティティに基づいて前記第１のコンポーネント・キャリアを識別するために前記構成されたマッピングにクエリを行うための手段と、
をさらに備える、Ｃ５１に記載の装置。
［Ｃ５３］
前記モバイル・デバイスによって送信されたキャリア品質情報を得るための手段と、
前記キャリア品質情報に基づいて前記モバイル・デバイスによってモニタされたコンポーネント・キャリアのセットを構成するための手段と
をさらに備える、Ｃ５０に記載の装置。
［Ｃ５４］
モバイル・デバイスからのスケジューリング要求を、少なくとも１つのコンピュータに受信させるためのコードと、
前記スケジューリング要求を伝達するために使用されたアップリンク・コンポーネント・キャリアを、前記少なくとも１つのコンピュータに識別させるためのコードと、
前記アップリンク・コンポーネント・キャリアに基づいて複数のコンポーネント・キャリアからのアンカー・コンポーネント・キャリアを、前記少なくとも１つのコンピュータに選択させるためのコードと、
前記アンカー・コンポーネント・キャリア上で制御情報を前記モバイル・デバイスへ、前記少なくとも１つのコンピュータに送信させるためのコードと
を備えるコンピュータ可読媒体を備える、
コンピュータ・プログラム製品。
［Ｃ５５］
前記コンピュータ可読媒体は、アンカー・コンポーネント・キャリアとアップリンク・コンポーネント・キャリアとの間のマッピングを、前記少なくとも１つのコンピュータに使用させるためのコードをさらに備える、
Ｃ５４に記載のコンピュータ・プログラム製品。
［Ｃ５６］
前記コンピュータ可読媒体は、前記アンカー・コンポーネント・キャリアが前記アップリンク・コンポーネント・キャリアに基づいて選択されることをフラグが示すか否かを識別するために、前記スケジューリング要求を前記少なくとも１つのコンピュータに評価させるためのコードさらに備える、
Ｃ５４に記載のコンピュータ・プログラム製品。
［Ｃ５７］
モバイル・デバイスからスケジューリング要求を受信し、
第１のコンポーネント・キャリア上で前記モバイル・デバイスへ制御情報を送信し、
前記制御情報が前記モバイル・デバイスによって受信されるか否かを識別し、
前記制御情報が受信されないとき、第２のコンポーネント・キャリア上で前記モバイル・デバイスへ前記制御情報を再送信する、
ように構成された少なくとも１つのプロセッサ
を備える、無線コンピュータ装置。
［Ｃ５８］
前記少なくとも１つのプロセッサは、
前記スケジューリング要求を評価し、
前記スケジューリング要求の中にフラグが含まれるか否かを識別し、
構成されたマッピングにしたがって前記第１のコンポーネント・キャリアを複数のコンポーネント・キャリアから選択する
ようにさらに構成される、Ｃ５７記載の無線通信装置。
［Ｃ５９］
前記少なくとも１つのプロセッサは、
前記スケジューリング要求を伝達するために使用されたアップリンク・コンポーネント・キャリアのアイデンティティを決定し、
前記アップリンク・コンポーネント・キャリアの前記アイデンティティに基づいて前記第１のコンポーネント・キャリアを識別するために前記構成されたマッピングにクエリを行う
ようにさらに構成される、Ｃ５８記載の無線通信装置。
［Ｃ６０］
前記少なくとも１つのプロセッサは、
前記モバイル・デバイスによって送信されたキャリア品質情報を受信し、
前記キャリア品質情報に基づいて前記モバイル・デバイスによってモニタされたコンポーネント・キャリアのセットを構成する
ようにさらに構成される、Ｃ５７記載の無線通信装置。
［Ｃ６１］
モバイル・デバイスからスケジューリング要求を受信すること、前記スケジューリング要求を伝達するために使用されたアップリンク・コンポーネント・キャリアを識別すること、前記アップリンク・コンポーネント・キャリアに基づいて複数のコンポーネント・キャリアからのアンカー・コンポーネント・キャリアを選択すること、前記アンカー・コンポーネント・キャリア上で前記モバイル・デバイスへ制御情報を送信すること、に関する命令を保持するするメモリと、
前記メモリに結合され、前記メモリ中に保持された命令を実行するように構成されたプロセッサと、
を備える、装置。
【図１】
0005502991.tif 000002
【図２】
0005502991.tif 000003
【図３】
0005502991.tif 000004
【図４】
0005502991.tif 000005
【図５】
0005502991.tif 000006
【図６】
0005502991.tif 000007
【図７】
0005502991.tif 000008
【図８】
0005502991.tif 000009
【図９】
0005502991.tif 000010
【図１０】
0005502991.tif 000011
【図１１】
0005502991.tif 000012
【図１２】
0005502991.tif 000013
【図１３】
0005502991.tif 000014
【図１４】
0005502991.tif 000015
【図１５】
0005502991.tif 000016
【図１６】
0005502991.tif 000017